【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
止血対象者の皮膚の穿刺部の穿刺孔の周囲を覆う第１の部分と、
前記第１の部分に作用的に連結され、前記第１の部分から離間した第１の位置と、前記第１の部分に接近した第２の位置との間で移動自在とされる第２の部分と、
前記第１の部分を前記第２の部分に対して前記第２の位置としたときに、前記第１の部分に対して前記第２の部分を係止保持してロック状態に維持する係止ロック手段と、
前記第１の部分と前記第２の部分との間に設けられ、前記第１の部分を前記第２の部分に対して前記第２の位置としたときに、前記第２の部分から前記第１の部分を弾性的に押圧して、前記第１の部分が止血対象者の皮膚の穿刺部の穿刺孔及び穿刺孔の周囲を弾性的に押圧するようにする弾性手段とを備えることを特徴とする医療用止血具。
【請求項２】
止血対象者の皮膚の穿刺部の穿刺孔の周囲の所定面積を覆う外形を有する板状をなす基体と、
前記基体の外形に対応する外形及び面積を有する板状をなし、その基端を前記基体の一端に第１のヒンジ部を介して一体的に弾性的に連結し、外力を加えないときは、前記第１のヒンジ部の回動付勢力により、前記基体の下面側において前記基体に対して所定角度で屈曲して延びる展開状態を維持すると共に、所定の外力を加えることで前記基体の下面に重なる圧縮状態となる下側押圧体と、
前記基体の外形に対応する外形及び面積を有する板状をなし、その基端を前記基体の他端に第２のヒンジ部を介して一体的に弾性的に連結されると共に、外力を加えないときは、前記第２のヒンジ部の回動付勢力により、前記基体の上面側において前記基体に対して所定角度で屈曲して延びる展開状態を維持すると共に、所定の外力を加えることで前記基体の上面に重なる圧縮状態となる上側押圧体と、
前記下側押圧体及び前記上側押圧体を前記基体を挟んで互いに接近するように前記圧縮状態としたときに、前記下側押圧体及び前記上側押圧体を前記基体を間に挟んだ状態で凹凸の関係でロック状態に維持するロック部と、
前記ロック部による前記基体を間に挟んだ前記下側押圧体及び前記上側押圧体のロック状態を、前記ロック部による前記凹凸の関係を解除することで解除操作自在なロック解除部とを備えることを特徴とする医療用止血具。
【請求項３】
止血対象者の皮膚の穿刺部の穿刺孔の周囲の所定面積を覆う外形を有する板状をなす基体と、
前記基体の外形に対応する外形及び面積を有する板状をなし、その基端を前記基体の一端に第１のヒンジ部を介して一体的に弾性的に連結し、外力を加えないときは、前記第１のヒンジ部の回動付勢力により、前記基体の下面側において前記基体に対して所定角度で屈曲して延びる展開状態を維持すると共に、所定の外力を加えることで前記基体の下面に重なる圧縮状態となる下側押圧体と、
前記基体の外形に対応する外形及び面積を有する板状をなし、その基端を前記基体の他端に第２のヒンジ部を介して一体的に弾性的に連結されると共に、外力を加えないときは、前記第２のヒンジ部の回動付勢力により、前記基体の上面側において前記基体に対して所定角度で屈曲して延びる展開状態を維持すると共に、所定の外力を加えることで前記基体の上面に重なる圧縮状態となる上側押圧体と、
前記下側押圧体を前記基体に対して前記圧縮状態としたときに、前記下側押圧体の先端を前記基体に対して凹凸の関係でロック状態に維持する第１のロック部と、
前記上側押圧体を前記基体に対して前記圧縮状態としたときに、前記上側押圧体の先端を前記基体に対して凹凸の関係でロック状態に維持する第２のロック部と、
前記第１のロック部による前記基体に対する前記下側押圧体のロック状態を、前記第１のロック部による前記凹凸の関係を解除することで解除操作自在な第１のロック解除部と、
前記第２のロック部による前記基体に対する前記上側押圧体のロック状態を、前記第２のロック部による前記凹凸の関係を解除することで解除操作自在な第２のロック解除部と
を備えることを特徴とする医療用止血具。
【請求項４】
前記基体、前記下側押圧体及び前記上側押圧体は、それぞれ、所定の外形で所定の面積を有する平板状をなす第１の基部、第２の基部及び第３の基部を備え、前記第１のヒンジ部を介して前記基体の第１の基部と前記下側押圧体の第２の基部とを弾性的に連結すると共に、前記第２のヒンジ部を介して前記基体の第１の基部と前記上側押圧体の第３の基部とを弾性的に連結し、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うようにし、更に、前記上側押圧体の面積を下側押圧体の面積よりも大きく設定したことを特徴とする請求項２記載の医療用止血具。
【請求項５】
前記基体、前記下側押圧体及び前記上側押圧体は、それぞれ、略同一の外形で略同一の面積を有する平板状をなす第１の基部、第２の基部及び第３の基部を備え、前記第１のヒンジ部を介して前記基体の第１の基部と前記下側押圧体の第２の基部とを弾性的に連結すると共に、前記第２のヒンジ部を介して前記基体の第１の基部と前記上側押圧体の第３の基部とを弾性的に連結し、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うようにしたことを特徴とする請求項３記載の医療用止血具。
【請求項６】
前記第１のロック部は、前記下側押圧体の先端縁の両端に、それぞれ、前記下側押圧体の上面から垂立するよう前記下側押圧体に一体形成され、その内側面側に掛止凹部を有する第１の掛止部と、前記基体の他端縁の両端部にそれぞれ一体形成され、前記第１の掛止部の掛止凹部に凹凸の関係で掛止される第１の被掛止部とを含み、
前記第２のロック部は、前記基体の一端縁の両端に、それぞれ、前記基体の上面から垂立するよう前記基体に一体形成され、その内側面側に掛止凹部を有する第２の掛止部と、前記上側押圧体の先端縁の両端部にそれぞれ一体形成され、前記第２の掛止部の掛止凹部に凹凸の関係で掛止される第２の被掛止部とを含むことを特徴とする請求項３記載の医療用止血具。
【請求項７】
前記第１のロック解除部は、前記上側押圧体の先端縁の中央部側に突出して一体形成された第１の解除部を含み、
前記第２のロック解除部は、前記上側押圧体の基端縁の中央部側に突出して一体形成された第２の解除部を含むことを特徴とする請求項３記載の医療用止血具。
【請求項８】
止血対象者の穿刺部の穿刺孔の周囲の皮膚に直接的または間接的に貼着して固定自在とされると共に、当該固定状態で、前記穿刺孔を含む皮膚の一定部位に対して外部から接近自在とする開口を有する固定部と、
前記固定部に作用的に連結され、前記固定部の開口から離間した離間位置と、前記固定部の開口の内部に進入した進入位置との間で移動自在とされる可動部とを備え、
前記可動部は、前記固定部の開口から内部に進入し、当該開口部分の前記穿刺孔を含む皮膚の一定部位に当接して所定の押圧位置で圧迫する押圧部と、前記押圧部が前記押圧位置での圧迫状態を維持するよう、前記押圧部を前記固定部に対して係止保持する係止手段とを備え、
前記押圧部は、コイルばねを介して前記可動部に取り付けられており、前記可動部を前記固定部の内部に進入して、前記押圧部により前記開口部分の前記穿刺孔を含む皮膚の一定部位に当接して所定の押圧位置で圧迫するときに、前記押圧部が前記コイルばねの弾性押圧力によって前記穿刺孔を含む皮膚の一定部位を弾性的に圧迫して止血を行うことを特徴とする医療用止血具。
【請求項９】
前記固定部と前記可動部とは、所定の合成樹脂材料により別体で成形され、
前記可動部は、円板状の支持部と、前記支持部に対応する円筒状の挿着部とを有し、
前記挿着部は、前記固定部の開口から内部に挿着して、前記係止手段により前記固定部の内部に係止自在であり、
前記押圧部は、円盤状をなし、前記コイルばねを介して前記支持部の下面に取り付けられていることを特徴とする請求項８記載の医療用止血具。
【手続補正２】
【補正対象書類名】明細書
【補正対象項目名】全文
【補正方法】変更
【補正の内容】
【発明の詳細な説明】
【発明の名称】医療用止血具
【技術分野】
【０００１】
本発明は、採血や点滴等の血管への注射後に、注射した部位を圧迫して止血するために用いる医療用止血具に関する。
【背景技術】
【０００２】
従来、医療行為において採血、静脈注射、点滴、輸血、人工透析等のために注射針やカテーテル等を被検診者や患者の皮膚表面の血管がある所定の穿刺部（腕等の静脈ラインや抹消動脈ラインがある部位）に穿刺した場合、注射針の抜除後に、穿刺部の針刺跡（穿刺孔）を酒精綿で覆い、その上から親指等で圧迫して止血することが必要である。この場合、圧迫時間は、通常、５分程度が必要とされている。このとき、酒精綿の代わりに、粘着テープの粘着面に綿パッドを貼付した止血パッドが使用されることもある。また、止血パッドは、針刺跡の保護は行うものの、止血に必要な針刺跡の圧迫を行うものではなく、綿パッド部分を親指等で一定時間圧迫する必要があり面倒であることから、止血バンドを腕等の穿刺部の周囲に巻き付けて、止血バンドにより止血パッドの綿パッド部分を固定及び圧迫することで止血することも行われている。また、止血バンドは高価であるため、止血パッドの綿パッドに針刺跡の圧迫機能を付加した圧迫タイプの止血パッドも提案されている。
【０００３】
ここで、従来の止血パッドや止血バンドを改良した発明として、例えば、特許文献１及び特許文献２には、止血パッドを改良した発明が記載され、特許文献３には、止血ベルトを改良した発明が記載されている。即ち、特許文献１の止血用貼付材は、基材の一面に粘着剤層を設け、この粘着剤層の上にパッドを固定するものであり、パッドは、注射針等を刺したときにできる血管の穿刺孔と皮膚表面の穿刺孔の双方を覆う大きさを有し、かつ、上記両穿刺孔を適度の強さに押圧できるような厚さと圧縮硬さを有している（要約参照）。また、特許文献２の止血用絆創膏は、基材の一方の面に設けられた粘着層と、基材の一方の面の略中心位置に固着され内部に無方向に弾性変形可能な気体、液体、ゲル状体からなる弾性体が収容された袋状部材と、基材の粘着層に剥離可能に貼り付けられた剥離材とを備えるものであり、基材は、その袋状部材が人体の止血部位に当接した状態で粘着層が人体の皮膚表面に粘着されると共に、伸縮性もしくは非伸縮性の押圧部材で皮膚方向に押圧されるようになっている（要約参照）。更に、特許文献３の止血具は、中央に平面状押圧部を備え、該平面状押圧部の両側が山形状に屈曲して屈伸弾力を備えるＭ字型に形成した止血ステー本体と、該止血ステー本体の両外端に直接又は両外端に接続する屈曲接続部に締付けバンドを接続してなるものである（要約参照）。
【先行技術文献】
【特許文献】
【０００４】
【特許文献１】特開平５−２４５１７３号公報
【特許文献２】特開２００５−２４６０２７号公報
【特許文献３】特開２００８−３０７３０１号公報
【発明の概要】
【発明が解決しようとする課題】
【０００５】
しかし、特許文献１及び特許文献２に記載の発明は、いずれも、基材の粘着剤層を皮膚の穿刺孔周辺に粘着して固定し、基材の展張力または引張力のみによってパッドを皮膚の穿刺部に押し付けることで穿刺部を圧迫する構成であるため、穿刺部に対する圧迫力が基材の展張力または引張力のみに依存することになり、十分な圧迫力を得ることができない可能性がある。また、穿刺部への圧迫力が、基材のみに依存するため、時間の経過とともに基材が塑性変形で伸張し、基材の展張力または引張力が低減または消失して、穿刺部に対する圧迫を必要な時間維持できない可能性もある。ここで、止血対象者の止血能力が低い場合や、腎臓透析患者等、常に注射針による穿刺を行う止血対象者等の場合は、止血が通常の場合よりも困難であり、止血のためには、より長い時間にわたって穿刺孔部分をより強い圧迫力で押圧継続する必要がある。一方、特許文献３の止血具は、皮膚の穿刺部にガーゼを介在させた後、止血ステー本体の平面状押圧部をガーゼに当て、止血ステー本体に、患者の腕等に巻回した締付けバンドの両端を緊締接続することで、穿刺部に押圧力を加えた状態に保持することから、特許文献１及び特許文献２の場合よりは強い圧迫力を得ることができるが、全体の構成が大掛かり、かつ、複雑となり、製造コストも大幅に上昇する可能性がある。
【０００６】
そこで、本発明は、止血対象者の穿刺部に十分な圧迫力を継続的に安定して加えることができる共に、当該十分な圧迫力を必要な時間安定して維持することができ、止血が通常の場合よりも困難な止血対象者に対しても確実な止血を行うことができ、更に、製造コストを低減して製品単価を安価なものとすることができる医療用止血具の提供を課題とする。
【課題を解決するための手段】
【０００７】
請求項１に係る医療用止血具は、第１の部分（固定部、基体）と、第２の部分（可動部、下側押圧体及び上側押圧体）と、係止ロック手段（係止手段、ロック部及びロック解除部）と、弾性手段（コイルばね、第１のヒンジ部及び第２のヒンジ部）とを備える。前記第１の部分（固定部、基体）は、止血対象者の皮膚の穿刺部の穿刺孔の周囲を覆う。前記第２の部分（可動部、下側押圧体及び上側押圧体）は、前記第１の部分に作用的に連結され、前記第１の部分から離間した第１の位置と、前記第１の部分に接近した第２の位置との間で移動自在とされる。前記係止ロック手段（係止手段、ロック部及びロック解除部）は、前記第１の部分を前記第２の部分に対して前記第２の位置としたときに、前記第１の部分に対して前記第２の部分を係止保持してロック状態に維持する。前記弾性手段（コイルばね、第１のヒンジ部及び第２のヒンジ部）は、前記第１の部分と前記第２の部分との間に設けられ、前記第１の部分を前記第２の部分に対して前記第２の位置としたときに、前記第２の部分から前記第１の部分を弾性的に押圧して、前記第１の部分が止血対象者の皮膚の穿刺部の穿刺孔及び穿刺孔の周囲を弾性的に押圧するようにする。
【０００８】
請求項２に係る医療用止血具は、基体と、下側押圧体と、上側押圧体と、ロック部と、ロック解除部とを備える。前記基体は、止血対象者の皮膚の穿刺部の穿刺孔の周囲の所定面積を覆う外形を有する板状（その皮膚を全面的に覆う面積の平板状又は少なくとも一部を覆うが皮膚の全体を外形が覆う環状板状）をなす。前記下側押圧体は、前記基体の外形に対応する外形及び面積を有する板状をなし、その基端を前記基体の（長さ方向又は幅方向）一端に第１のヒンジ部を介して一体的に弾性的に連結し、外力を加えないときは、前記第１のヒンジ部の回動付勢力により、前記基体の下面側において前記基体に対して所定角度で屈曲して延びる展開状態を維持すると共に、所定の外力を加えることで前記基体の下面に重なる圧縮状態となる。前記上側押圧体は、前記基体の外形に対応する外形及び面積を有する板状をなし、その基端を前記基体の（長さ方向又は幅方向）他端に第２のヒンジ部を介して一体的に弾性的に連結されると共に、外力を加えないときは、前記第２のヒンジ部の回動付勢力により、前記基体の上面側において前記基体に対して所定角度で屈曲して延びる展開状態を維持すると共に、所定の外力を加えることで前記基体の上面に重なる圧縮状態となる。前記ロック部は、前記下側押圧体及び前記上側押圧体を前記基体を挟んで互いに接近するように前記圧縮状態としたときに、前記下側押圧体及び前記上側押圧体を前記基体を間に挟んだ状態で凹凸の関係でロック状態に維持する。前記ロック解除部は、前記ロック部による前記基体を間に挟んだ前記下側押圧体及び前記上側押圧体のロック状態を、前記ロック部による前記凹凸の関係を解除することで解除操作自在である。
【０００９】
請求項３に係る医療用止血具は、基体と、下側押圧体と、上側押圧体と、第１のロック部と、第２のロック部と、第１のロック解除部と、第２のロック解除部とを備える。前記基体は、止血対象者の皮膚の穿刺部の穿刺孔の周囲の所定面積を覆う外形を有する板状（例えば、その外形が皮膚の穿刺部の穿刺孔の周囲の所定面積を全面的に覆う外形寸法を有し、かつ、その面積も皮膚の穿刺部の穿刺孔の周囲の所定面積を全面的に覆う面積を有する平板状、又は、その外形は皮膚の穿刺部の穿刺孔の周囲の所定面積を全面的に覆う外形寸法を有するが、その面積は皮膚の穿刺部の穿刺孔の周囲の所定面積のうちの外周側部分のみを覆うリング板状等）をなす。前記下側押圧体は、前記基体の外形に対応する（好ましくは同一、又は、ほぼ同一の）外形及び面積を有する板状をなし、その基端を前記基体の（長さ方向又は幅方向）一端に第１のヒンジ部を介して一体的に弾性的に連結し、外力を加えないときは、前記第１のヒンジ部の回動付勢力により、前記基体の下面側において前記基体に対して所定角度で屈曲して延びる展開状態を維持すると共に、所定の外力を加えることで前記基体の下面に重なる圧縮状態となる。上側押圧体は、前記基体の外形に対応する（好ましくは同一、又は、ほぼ同一の）外形及び面積を有する板状をなし、その基端を前記基体の（長さ方向又は幅方向）他端に第２のヒンジ部を介して一体的に弾性的に連結されると共に、外力を加えないときは、前記第２のヒンジ部の回動付勢力により、前記基体の上面側において前記基体に対して所定角度で屈曲して延びる展開状態を維持すると共に、所定の外力を加えることで前記基体の上面に重なる圧縮状態となる。前記第１のロック部は、前記下側押圧体を前記基体に対して前記圧縮状態としたときに、前記下側押圧体の先端を前記基体に対して凹凸の関係でロック状態に維持する。前記第２のロック部は、前記上側押圧体を前記基体に対して前記圧縮状態としたときに、前記上側押圧体の先端を前記基体に対して凹凸の関係でロック状態に維持する。前記第１のロック解除部は、前記第１のロック部による前記基体に対する前記下側押圧体のロック状態を、前記第１のロック部による前記凹凸の関係を解除することで解除操作自在である。前記第２のロック解除部は、前記第２のロック部による前記基体に対する前記上側押圧体のロック状態を、前記第２のロック部による前記凹凸の関係を解除することで解除操作自在である。
【００１０】
請求項４に係る医療用止血具では、請求項２の構成に加え、前記基体、前記下側押圧体及び前記上側押圧体は、それぞれ、所定の外形で所定の面積を有する平板状をなす第１の基部、第２の基部及び第３の基部を備え、前記第１のヒンジ部を介して前記基体の第１の基部と前記下側押圧体の第２の基部とを弾性的に連結すると共に、前記第２のヒンジ部を介して前記基体の第１の基部と前記上側押圧体の第３の基部とを弾性的に連結し、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うようにし、更に、前記上側押圧体の面積を下側押圧体の面積よりも大きく設定した。
【００１１】
請求項５に係る医療用止血具では、請求項３の構成に加え、前記基体、前記下側押圧体及び前記上側押圧体は、それぞれ、略同一の外形で略同一の面積を有する平板状をなす第１の基部、第２の基部及び第３の基部を備え、前記第１のヒンジ部を介して前記基体の第１の基部と前記下側押圧体の第２の基部とを弾性的に連結すると共に、前記第２のヒンジ部を介して前記基体の第１の基部と前記上側押圧体の第３の基部とを弾性的に連結し、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うようにしている。
【００１２】
請求項６に係る医療用止血具では、請求項３の構成に加え、前記第１のロック部は、前記下側押圧体の先端縁の両端に、それぞれ、前記下側押圧体の上面から垂立するよう前記下側押圧体に一体形成され、その内側面側に掛止凹部を有する第１の掛止部と、前記基体の他端縁の両端部にそれぞれ一体形成され、前記第１の掛止部の掛止凹部に凹凸の関係で掛止される第１の被掛止部とを含む。また、前記第２のロック部は、前記基体の一端縁の両端に、それぞれ、前記基体の上面から垂立するよう前記基体に一体形成され、その内側面側に掛止凹部を有する第２の掛止部と、前記上側押圧体の先端縁の両端部にそれぞれ一体形成され、前記第２の掛止部の掛止凹部に凹凸の関係で掛止される第２の被掛止部とを含む。
【００１３】
請求項７に係る医療用止血具では、請求項３の構成に加え、前記第１のロック解除部は、前記上側押圧体の先端縁の中央部側に突出して一体形成された第１の解除部を含む。また、前記第２のロック解除部は、前記上側押圧体の基端縁の中央部側に突出して一体形成された第２の解除部を含む。
【００１４】
請求項８に係る医療用止血具は、固定部と可動部とを備える。固定部は、止血対象者の穿刺部の穿刺孔の周囲の皮膚に（典型的には、当該穿刺孔を中心として包囲するよう）直接的または間接的に貼着して固定自在とされると共に、当該固定状態で、前記穿刺孔を含む（好ましくは、穿刺孔を中心とする）皮膚の一定部位に対して外部から接近自在とする開口を有する。また、可動部は、前記固定部に作用的に連結され、前記固定部の開口から離間した離間位置と、前記固定部の開口の内部に進入した進入位置との間で移動自在とされる。また、前記可動部は、前記固定部の開口から内部に進入し、当該開口部分の前記穿刺孔を含む皮膚の一定部位に当接して所定の押圧位置で（典型的には、これに対応する所定の押圧力を持って）圧迫する押圧部と、前記押圧部が前記押圧位置での圧迫状態を維持するよう、前記押圧部を前記固定部に対して係止保持する係止手段とを備える。また、前記押圧部は、コイルばねを介して前記可動部に取り付けられており、前記可動部を前記固定部の内部に進入して、前記押圧部により前記開口部分の前記穿刺孔を含む皮膚の一定部位に当接して所定の押圧位置で圧迫するときに、前記押圧部が前記コイルばねの弾性押圧力によって前記穿刺孔を含む皮膚の一定部位を弾性的に圧迫して止血を行う。なお、固定部への可動部の連結態様及び全体構成は、固定部及び可動部を一体成形すると共に固定部と可動部とを樹脂ヒンジ部により連結する連結態様及び１ピース構造としたり（例えば、後述する実施の形態１の態様）、固定部及び可動部を別体成形すると共に固定部と可動部とを回動軸により連結する連結態様及び１ピース構造としたり（例えば、後述する実施の形態７の態様）、固定部及び可動部を別体成形すると共に固定部に対して可動部を挿着して連結する連結態様及び２ピース構造としたり（例えば、後述する実施の形態２〜６の態様）することができる。なお、本発明において、固定部の開口は、固定部の内周面または内側面により形成される開口であり、後述する実施の形態１〜７においては、固定部となる基体の基部及び／または突出部の内周面または内側面により形成されるものである。また、係止手段は、後述する実施の形態１〜７の係止部及び被係止部により構成される。
【００１５】
請求項９に係る医療用止血具は、請求項８の構成において、前記固定部と前記可動部とが、所定の合成樹脂材料により別体で成形されている。前記可動部は、円板状の支持部と、前記支持部に対応する円筒状の挿着部とを有する。前記挿着部は、前記固定部の開口から内部に挿着して、前記係止手段により前記固定部の内部に係止自在である。前記押圧部は、円盤状をなし、前記コイルばねを介して前記支持部の下面に取り付けられている。
【００１６】
本発明に係る医療用止血具は、請求項２又は３の構成に加え、更に、前記下側押圧体の下面に止血用のパッドを貼着することもできる。
【００１７】
本発明に係る医療用止血具は、請求項８の構成において、所定の合成樹脂材料により前記固定部と前記可動部とを一体成形し、前記可動部を前記固定部に対して傾動して重ね合せ自在とし、前記可動部を前記固定部に対して傾動して重ね合せたときに前記係止手段により前記押圧部を前記押圧維持に保持するようにすることもできる（即ち、いわゆる１ピース構造からなる）。
【００１８】
本発明に係る医療用止血具では、請求項９の構成において、前記可動部は、当該可動部を前記固定部に傾動自在に連結する連結部と、前記連結部から延設されて前記押圧部を先端側に設けた断面略Ｓ字状の傾動部とを備えることもできる。
【００１９】
本発明に係る医療用止血具では、上記の構成において、前記連結部は、前記固定部の側方位置において前記可動部を前記固定部に連結する樹脂ヒンジとしてのヒンジ部を有し、前記ヒンジ部を介して、前記可動部を前記固定部に対して傾動自在とすることもできる。
【００２０】
本発明に係る医療用止血具では、上記の構成において、前記ヒンジ部は、前記固定部の側方位置において前記固定部と略平行な方向に延びるよう設けることもできる。
【００２１】
本発明に係る医療用止血具は、上記のいずれかの構成において、更に、前記固定部の下面における前記開口を含む全範囲に貼付されるパッド付粘着テープを備えることもできる。
【００２２】
本発明に係る医療用止血具は、請求項８の構成において、所定の合成樹脂材料により前記固定部と前記可動部とを別体で成形し、前記可動部を前記固定部に対して挿着自在とすることもできる（即ち、いわゆる２ピース構造からなる）。
【００２３】
本発明に係る医療用止血具では、上記のいずれか１項の構成において、前記係止手段は、前記固定部の開口の厚さ方向に複数設けられ、前記固定部の開口内における前記押圧部の進入深さを複数段階で調節自在とすることもできる。
【発明の効果】
【００２４】
請求項１に係る医療用止血具は、止血対象者の穿刺部に十分な圧迫力を継続的に安定して加えることができる共に、当該十分な圧迫力を必要な時間安定して維持することができ、止血が通常の場合よりも困難な止血対象者に対しても確実な止血を行うことができ、更に、製造コストを低減して製品単価を安価なものとすることができる。
【００２５】
請求項２に係る医療用止血具は、止血対象者の穿刺部に十分な圧迫力を継続的に安定して加えることができる共に、当該十分な圧迫力を必要な時間安定して維持することができ、止血が通常の場合よりも困難な止血対象者に対しても確実な止血を行うことができ、更に、製造コストを低減して製品単価を安価なものとすることができる。また、全体がいわゆる１ピース構造となり、部品点数を削減して製造コストを低減することができると共に、片手のみのワンタッチ操作で、のロック部を介して医療用止血具を展開状態から圧縮状態に簡単かつ確実に変形して形状固定することができ、更に、ロック解除部を介して医療用止血具を圧縮状態から展開状態へと形状復元することができ、止血動作を迅速かつ円滑に行うことができる。
【００２６】
請求項３に係る医療用止血具は、止血対象者の穿刺部に十分な圧迫力を継続的に安定して加えることができる共に、当該十分な圧迫力を必要な時間安定して維持することができ、止血が通常の場合よりも困難な止血対象者に対しても確実な止血を行うことができ、更に、製造コストを低減して製品単価を安価なものとすることができる。また、全体がいわゆる１ピース構造となり、部品点数を削減して製造コストを低減することができると共に、片手のみのワンタッチ操作で、第１及び第２のロック部を介して医療用止血具を展開状態から圧縮状態に簡単かつ確実に変形して形状固定することができ、更に、第１及び第２のロック解除部を介して医療用止血具を圧縮状態から展開状態へと形状復元することができ、止血動作を迅速かつ円滑に行うことができる。
【００２７】
請求項４に係る医療用止血具は、請求項２の効果に加え、大面積の上側押圧体により、止血時に穿刺部に加える圧迫力を漸増する圧迫力とすることができる。また、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うため、医療用止血具の展開状態から圧縮状態への変形操作をより迅速かつ円滑に行うことができる。また、圧縮状態で上側押圧体、基体及び下側押圧体が３層構造状となるため、全体の厚みを非常に小さくしてコンパクト化することができ、止血対象者の皮膚の穿刺部への押し当て作業をより円滑に行うことができる。圧縮状態から展開状態へと形状復元したときに、医療用止血具が側面視で略Ｚ字状となるため、基体から下方に回動離間する下側押圧体の回動付勢力と、上方に回動離間する上側押圧体の回動付勢力をと合算した付勢力を、Ｚバネ又はＺスプリングと同様の強力なばね力として発揮することができ、止血対象者の穿刺孔の周囲の圧迫動作をより強力に行うことができる。
【００２８】
請求項５に係る医療用止血具は、請求項３の効果に加え、前記基体に対して前記下側押圧体及び前記上側押圧体を前記展開状態としたときに、前記基体の第１の基部、前記下側押圧体の第２の基部及び前記上側押圧体の第３の基部が側面視で略Ｚ字状となると共に、前記基体に対して前記下側押圧体及び前記上側押圧体を前記圧縮状態としたときに、前記基体の第１の基部の下面及び上面に対して、それぞれ、前記下側押圧体の第２の基部及び前記上側押圧体の第３の基部が３層構造状となって略密接状態又は密接状態でほぼ完全に重なり合うため、医療用止血具の展開状態から圧縮状態への変形操作をより迅速かつ円滑に行うことができる。また、圧縮状態で上側押圧体、基体及び下側押圧体が３層構造状となるため、全体の厚みを非常に小さくしてコンパクト化することができ、止血対象者の皮膚の穿刺部への押し当て作業をより円滑に行うことができる。圧縮状態から展開状態へと形状復元したときに、医療用止血具が側面視で略Ｚ字状となるため、基体から下方に回動離間する下側押圧体の回動付勢力と、上方に回動離間する上側押圧体の回動付勢力をと合算した付勢力を、Ｚバネ又はＺスプリングと同様の強力なばね力として発揮することができ、止血対象者の穿刺孔の周囲の圧迫動作をより強力に行うことができる。
【００２９】
請求項６に係る医療用止血具は、請求項３の効果に加え、下側押圧体を基体に対して接近させて密接させると、自動的に、下側押圧体の先端縁の両端に設けた一対の第１の掛止部の係止凹部に基体の第１の被掛止部が掛止され、また、上側押圧体を基体に対して接近させて密接させると、自動的に、基体の一端縁の両端に設けた一対の第２の掛止部の係止凹部に上側押圧体の第２の被掛止部が掛止されるため、基体に対する下側押圧体及び上側押圧体のロック作業を迅速かつ確実に行うことができる。
【００３０】
請求項７に係る医療用止血具は、請求項３の効果に加え、第１のロック解除部が、上側押圧体の先端縁の中央部側から突出するため、前記ロック状態で当該上側押圧体の先端縁の両端から上方に突出する基体の第１の掛止部の間の部分から第１のロック解除部が突出することになり、第１のロック解除部を使用したロック解除操作を円滑に行うことができる。また、第２のロック解除部が、上側押圧体の先端縁の中央部側から突出するため、前記ロック状態で当該上側押圧体の基端縁の両端から上方に突出する下側押圧体の第２の掛止部の間の部分から第２のロック解除部が突出することになり、第２のロック解除部を使用したロック解除操作を円滑に行うことができる。
【００３１】
請求項８に係る医療用止血具は、止血対象者の穿刺部に十分な圧迫力を継続的に安定して加えることができる共に、当該十分な圧迫力を必要な時間安定して維持することができ、止血が通常の場合よりも困難な止血対象者に対しても確実な止血を行うことができ、更に、製造コストを低減して製品単価を安価なものとすることができる。
【００３２】
請求項９に係る医療用止血具は、請求項８の効果に加え、全体がいわゆる１ピース構造となり、部品点数を削減して製造コストを低減することができる。また、傾動操作により固定部に可動部を重ね合せたときに係止手段が押圧部を所定の押圧位置に保持するため、可動部の簡単な傾動操作により押圧部が穿刺部を圧迫して止血するようにすることができる一方、可動部の傾動前の固定部に対する展開時乃至開放時、並びに、可動部の傾動後の固定部への装着時に、全体の厚みを小さくしてフラット形状とすることができ、作業時の取り扱い性が向上する。
【００３３】
本発明に係る医療用止血具は、請求項２又は３の効果に加え、下側押圧体を止血対象者の皮膚の穿刺部の穿刺孔の周囲に押し当てるように医療用止血具を移動することで、パッドが前記皮膚の穿刺孔の周囲に密接して止血動作を行い、医療用止血具を前記圧縮状態のままで止血対象者の皮膚の穿刺孔の周囲に押し当てたときにも、パッドがある程度の予備的な止血動作を行うと共に、医療用止血具を圧縮状態から展開状態へと形状復元したときに、パッドが初期の圧迫止血動作を行うため、より迅速に止血作業を完了することができる。
【００３４】
本発明に係る医療用止血具は、請求項９の効果に加え、断面略Ｓ字状の傾動部の先端側に押圧部が設けられるため、押圧部による穿刺部の圧迫時に、穿刺部に対する押圧部の押圧が弾性的な押圧となり、止血対象者に対する使用感乃至装着感を向上することができると共に、圧迫による止血効果を向上することができる。
【００３５】
本発明に係る医療用止血具は、上記の効果に加え、固定部の側方位置に設けたヒンジ部により、可動部を固定部に対して傾動して固定部の開口内に挿入するときに、押圧部が円滑に開口内に進入し、開口内の穿刺部の必要部位に正確に当接して、当該穿刺部の圧迫止血動作を行うことができる。
【００３６】
本発明に係る医療用止血具は、上記の効果に加え、止血対象者の穿刺部の皮膚に押圧部を押し当てたときに、押圧部が穿刺部を非常に効率よく圧迫することができる。
【００３７】
本発明に係る医療用止血具は、上記のいずれかの効果に加え、止血対象者の穿刺部にパッド付粘着テープを粘着するだけで、固定部を穿刺部の周囲に固定することができ、押圧部の圧迫による止血作業を迅速に行うことができる。また、押圧部による穿刺部の押圧前においても、パット付き粘着テープのパッドが穿刺部の穿刺孔に当接し、穿刺孔からの出血を抑制する。
【００３８】
本発明に係る医療用止血具は、請求項８の効果に加え、可動部の固定部への装着操作に伴う押圧部による圧迫止血動作をより円滑に行うことができる。
【００３９】
本発明に係る医療用止血具は、上記のいずれかの効果に加え、押圧部による穿刺部への押圧力を複数段階で調節することができ、止血の難易度が異なる止血対象代謝に応じて適切な段階の押圧力を提供することで、最適な状態での止血作業を行うことができる。
【図面の簡単な説明】
【００４０】
【図１】図１は本発明の実施の形態１に係る医療用止血具の開放状態における全体構成を示し、（ａ）は固定部側から見た状態を示す正面図、（ｂ）は右側面図である。
【図２】図２は本発明の実施の形態１に係る医療用止血具の開放状態における全体構成を示し、（ａ）は平面図、（ｂ）は底面図である。
【図３】図３は本発明の実施の形態１に係る医療用止血具の開放状態から装着状態への傾動操作の過程を示し、（ａ）は押圧体の第１の傾動位置を示し、（ｂ）は押圧体の第２の傾動位置を示し、（ｃ）は押圧体の第３の傾動位置を示し、（ｄ）は押圧体の第４の傾動位置（装着位置）を示す。
【図４】図４は本発明の実施の形態１に係る医療用止血具を示し、（ａ）は図２（ａ）のＡ−Ａ線断面図に相当する断面図であって、基部の下面に粘着シート及びパッドを貼付した一例を示し、（ｂ）は図３（ｄ）の使用状態にある医療用止血具において基部の下面にのみ粘着層を設けた一例を示す断面図である。
【図５】図５は本発明の実施の形態２に係る医療用止血具の開放状態（基体及び押圧体の分解状態）における全体構成を示す正面図である。
【図６】図６は本発明の実施の形態２に係る医療用止血具の開放状態における全体構成を示す右側面図である。
【図７】図７は本発明の実施の形態２に係る医療用止血具の開放状態における全体構成を示す左側面図である。
【図８】図８は本発明の実施の形態２に係る医療用止血具の開放状態における全体構成を示す平面図である。
【図９】図９は本発明の実施の形態２に係る医療用止血具の開放状態における全体構成を示す底面図である。
【図１０】図１０は本発明の実施の形態２に係る医療用止血具の開放状態における全体構成を示し、図５の正面図に対応する断面図である。
【図１１】図１１は本発明の実施の形態２に係る医療用止血具の装着状態（基体に押圧体を装着した状態）における全体構成を示す断面図である。
【図１２】図１２は本発明の実施の形態３に係る医療用止血具の開放状態（基体及び押圧体の分解状態）における全体構成を示し、（ａ）は基体の下面側から見た底面図、（ｂ）は押圧体の上面側から見た平面図、（ｃ）は正面図、（ｄ）は背面図、（ｅ）は右側面図、（ｆ）は左側面図である。
【図１３】図１３は本発明の実施の形態３に係る医療用止血具の開放状態から装着状態への押し込み操作の過程を示し、（ａ）は押圧体の押し込み前の位置決め状態を示し、（ｂ）は押圧体の第１の押圧位置を示し、（ｃ）は押圧体の第２の押圧位置を示し、（ｄ）は押圧体の第３の押圧位置を示す。
【図１４】図１４は本発明の実施の形態４に係る医療用止血具の開放状態（基体及び押圧体の分解状態）における全体構成を示す平面図である。
【図１５】図１５は本発明の実施の形態４に係る医療用止血具の開放状態（基体及び押圧体の分解状態）における全体構成を示す断面図である。
【図１６】図１６は本発明の実施の形態４に係る医療用止血具の開放状態から装着状態への押し込み操作の過程を示し、（ａ）は押圧体の第１の押圧位置を示し、（ｂ）は押圧体の第２の押圧位置を示し、（ｃ）は押圧体の第３の押圧位置を示す。
【図１７】図１７は本発明の実施の形態５に係る医療用止血具の装着状態（基体に押圧体を装着した状態）及び開放状態（二点鎖線により示される押圧体の分解状態）における全体構成を示す平面図である。
【図１８】図１８は本発明の実施の形態５に係る医療用止血具の装着状態（基体に押圧体を装着した状態）における全体構成を示す断面図である。
【図１９】図１９は本発明の実施の形態６に係る医療用止血具の開放状態（基体及び押圧体の分解状態）における全体構成を示す断面図である。
【図２０】図２０は本発明の実施の形態７に係る医療用止血具の装着状態（基体に押圧体を装着した状態）及び開放状態（二点鎖線により示される押圧体の回動状態）における全体構成を示す断面図である。
【図２１】図２１は本発明の実施の形態７に係る医療用止血具の開放状態から装着状態への押し込み操作の過程を示し、（ａ）は押圧体の押し込み前の位置決め状態を示し、（ｂ）は押圧体の第１の押圧位置を示し、（ｃ）は押圧体の第２の押圧位置を示す。
【図２２】図２２は本発明の実施の形態８に係る医療用止血具の展開状態を示す斜視図である。
【図２３】図２３は本発明の実施の形態８に係る医療用止血具の展開状態を示し、（ａ）は正面図、（ｂ）は背面図である。
【図２４】図２４は本発明の実施の形態８に係る医療用止血具の展開状態を二点鎖線（仮想線）で示すと共に、圧縮状態を実線で示し、かつ、第１のロック部及び第２のロック部をそれぞれ一点鎖線の円形内に拡大して示す正面図である。
【図２５】図２５は本発明の実施の形態８に係る医療用止血具の圧縮状態を示し、（ａ）は正面図、（ｂ）は背面図である。
【図２６】図２６は本発明の実施の形態８に係る医療用止血具の展開状態を示し、（ａ）は右側面図、（ｂ）は左側面図である。
【図２７】図２７は本発明の実施の形態８に係る医療用止血具の圧縮状態を示し、（ａ）は右側面図、（ｂ）は左側面図である。
【図２８】図２８は本発明の実施の形態８に係る医療用止血具の展開状態を示し、（ａ）は平面図、（ｂ）は底面図である。
【図２９】図２９は本発明の実施の形態８に係る医療用止血具の圧縮状態を示し、（ａ）は平面図、（ｂ）は底面図である。
【図３０】図３０は本発明の実施の形態８に係る医療用止血具の使用方法を平面視で概略的に示し、（ａ）は圧縮状態の医療用止血具を穿刺部に（注射針を刺した状態で）押し当てた状態、（ｂ）は当該圧縮状態の医療用止血具を穿刺部に（注射針を抜いた状態で）押し当てた状態、（ｃ）は当該圧縮状態の医療用止血具を粘着テープにより穿刺部に固定した状態、（ｄ）は医療用止血具を圧縮状態から展開状態へと形状復元するためにロック解除している状態をそれぞれ示す。
【図３１】図３１は本発明の実施の形態８に係る医療用止血具の止血動作及び作用効果を断面視で概略的に示し、（ａ）は圧縮状態の医療用止血具を粘着テープにより穿刺部に固定した状態、（ｂ）は医療用止血具を圧縮状態から展開状態へと形状復元した状態をそれぞれ示す。
【図３２】図３２は本発明の実施の形態９に係る医療用止血具を示し、（ａ）は展開状態の正面図、（ｂ）は圧縮状態の正面図である。
【図３３】図３３は本発明の実施の形態１０に係る医療用止血具を示し、（ａ）は展開状態の右側面図、（ｂ）は展開状態の左側面図である。
【図３４】図３４は本発明の実施の形態１１に係る医療用止血具を示し、（ａ）は展開状態の正面図、（ｂ）は圧縮状態の正面図である。
【図３５】図３５は本発明の実施の形態１２に係る医療用止血具を示し、（ａ）は展開状態の正面図、（ｂ）は圧縮状態の正面図である。
【図３６】図３６は本発明の実施の形態１３に係る医療用止血具を示し、（ａ）は展開状態の正面図、（ｂ）は圧縮状態の正面図である。
【図３７】図３７は本発明の実施の形態１４に係る医療用止血具の展開状態を示す斜視図である。
【図３８】図３８は本発明の実施の形態１４に係る医療用止血具の展開状態を示し、（ａ）は正面図、（ｂ）は背面図である。
【図３９】図３９は本発明の実施の形態１４に係る医療用止血具の圧縮状態を示し、（ａ）は右側面図、（ｂ）は左側面図である。
【発明を実施するための形態】
【００４１】
以下、本発明を実施するための形態（以下、実施の形態という）を説明する。なお、各実施の形態を通じ、同一の部材、要素または部分には同一の符号を付して、その説明を省略する。
【００４２】
実施の形態１
実施の形態１に係る医療用止血具は、図１に示すように、固定部としての基体１０及び可動部としての押圧体２０を備えると共に、基体１０と押圧体２０とを一体構成として、押圧体２０を基体１０に対して傾動して重ね合せ自在とした１ピース構造である。即ち、実施の形態１の医療用止血具は、基体１０及び押圧体２０を所定の材料により一体成形したものである。なお、かかる一体構成の医療用止血具は、製造コスト等の点から、基体１０及び押圧体２０を合成樹脂材料により射出成型技術によって一体成形することが好ましいが、その他の材料を使用したり、その他の成形方法を使用して形成したりして一体形成することも可能である。
【００４３】
［基体］
詳細には、基体１０は、開口１５を有する基部１１と、基部１１に一体形成される突部１２及び係止部１３とから構成される。基部１１は、長方形環状のリング板状をなし、その内周縁に長方形状の開口１５を形成している。具体的には、基部１１の長さ方向両側（図２（ａ）中の左右両側）の帯板状部分は、それぞれ、一定厚みの平板状であるが、幅方向両側（図２（ａ）中の上下両側）の直線帯板状部分は、それぞれ、外側縁側に向かって厚みを漸減する断面テーパー状とされ、当該部分の上面は、それぞれ、傾斜面１１ａとなっている。前記突部１２は、基部１１の両傾斜面１１ａのうち、幅方向一端側（図２（ａ）中の下側）の傾斜面１１ａの外側縁部に一体形成されている。突部１２は、基部１１の当該傾斜面１１ａにおける長さ方向両端部（図２（ａ）中の左右両端部）にそれぞれ対をなすよう一体形成されている。各突部１２は、基部１１の当該傾斜面１１ａにおいて所定の長さ（基部１１の長さの数分の１程度の長さ）だけ直線的に延び、かつ、基部１１の傾斜面１１ａから上方に若干の高さだけ突出している。突部１２が基部１１の上面の最大高さ位置（即ち、基部１１の長さ方向両端部の上面位置）より更に上方に突出するよう、突部１２の突出高さは、基部１１の厚み（傾斜面１１ａ部分においては内周縁側となる最大厚み部分の厚み）の２倍程度の高さとされている。これら一対の突部１２は、医療用止血具を射出成型により一体成形した後の成形品（製品形状となった医療用止血具）を型抜きするときに、所定の取り出し具を引っ掛けて成形品の取り出しを容易にするために使用される部分である。
【００４４】
前記係止部１３は、基部１１の開口１５の長さ方向一端側の内側縁（図２（ａ）中の左側の内側縁）から当該基部１１と直交するよう上方に（当該基部１１の厚さ方向に）延びるよう一体成形されている。また、係止部１３は、基部１１の開口１５の幅方向全体に延びる矩形平板状部分と、当該平板状部分の上端に一体形成された鉤状部分とからなるものであり、当該鉤状部分の下面を係止面１３ａとしている。
【００４５】
［押圧体］
押圧体２０は、連結部２１、支持部２２、接合部２３、押圧部２４及び被係止部２５から構成される。押圧体２０は、基部１１の開口１５の幅とほぼ同一幅（即ち、係止部１３の幅と同一幅）で、前記連結部２１、支持部２２、押圧部２４及び被係止部２４を図１に示す屈曲・湾曲板状となるよう一体成形したものである。具体的には、連結部２１は、基体１０と押圧体２０との接合部を構成するものであり、ヒンジ部２１ａと折曲部２１ｂとからなる。ヒンジ部２１ａは、基体１０の基部１１との接合箇所（基部１１との境界縁）から当該基部１１の長さ方向に若干突出する板状をなすと共に、突出方向に向かって厚みを漸減する断面テーパー状となっている。折曲部２１ｂは、ヒンジ部２１ａの先端から下方に折曲状態で延設される一定厚みの平板状乃至帯板状をなしている。折曲部２１ｂの延設寸法（即ち、折曲部２１ｂ自体の幅寸法）は、基部１１の厚みの４〜６倍程度の厚みとされている。また、折曲部２１ｂは、ヒンジ部２１ａとの間で鈍角を形成するよう、ヒンジ部２１ａの先端から９０度よりも大きい角度で（基部１１から離間する方向に）延設されている。ここで、ヒンジ部２１ａは、いわゆる樹脂ヒンジを構成するものであり、ヒンジ部２１ａの突出寸法（即ち、ヒンジ部２１ａ自体の幅寸法）は、ヒンジ作用を発揮するのに必要十分な小寸法（数ミリ程度）とされ、ヒンジ部２１ａの下面と折曲部２１ｂの下面との境界線が、ヒンジ部２１ａの幅方向のほぼ中央に位置するよう、ヒンジ部２１ａに対して折曲部２１ｂが折曲状態で一体成形されている。
【００４６】
支持部２２は、前記連結部２１の折曲部２１ｂの先端（下端）に、前記基部１１から離間する方向へと、好ましくは前記基部１１と平行な状態で延びるよう、折曲部２１ｂに一体形成されている。支持部２２は、基部１１とほぼ同等の長さ（及び基部１１の開口１５とほぼ同等の幅）を有する長方形平板状であり、押圧体２０の押圧操作時に使用者が自らの指先（指腹部分）を押し当てて押圧力を加えるために使用される部分である。接合部２３は、支持部２２の先端に、支持部２２から上方に傾斜して折曲状態で延設されるよう一体成形される一定厚みの平板状乃至帯板状をなしている。接合部２３の延設寸法（即ち、接合部２３自体の幅寸法）は、前記連結部２１の折曲部２１ｂとほぼ同等であり、図１の医療用止血具の開放状態で、接合部２３の上端位置は、連結部２１の上端位置（即ち、基部１１の高さ位置）とほぼ同等の位置となっている。押圧部２４は、接合部２３の先端（上端）に、前記基部１１へと接近する方向へと湾曲状態で延びるよう、接合部２３に一体成形されている。押圧部２４は、略Ｕ字状の断面の湾曲板状をなし、その湾曲方向（長さ方向）の中央部（最も基部１１に接近した部位）は、支持部２２の長さ方向中央を超えて基部１１に接近する位置（例えば、支持部２２の長さの約８５〜約９０％の長さで支持部２２の先端から基部１１に向かって延びた位置）に位置している。また、押圧部２４の先端は、支持部２２と接合部２３との接合境界線より若干寸法だけ支持部２２側に位置している。したがって、押圧部２４の先端位置は、押圧部２４の基端位置（押圧部２４と接合部２３との接合位置）よりも若干寸法だけ支持部２２側に配置されており、上方から視認したときに、押圧部２４の先端は接合部２３よりも若干寸法だけ支持部２２側に変位した位置に配置されている。なお、前記連結部２１の折曲部２１ｂ、支持部２２、接合部２３及び押圧部２４により、断面略Ｓ字状の傾動部が構成され、連結部２１のヒンジ部２１ａを介して、当該断面略Ｓ字状をなし先端側に押圧部２３を一体的に有する傾動部を傾動操作自在となっている。
【００４７】
ここで、押圧部２４の中央部よりも先端側の部分は、基体１０に対して押圧体２０を傾動して押圧部２４を基部１１の開口１５に進入させたときに、基部１１の下面よりも下方の位置に突出状態で全体が配置されて、人体の皮膚の穿刺孔を中心とした穿刺部に弾性的に当接する面状部分であり、弾性当接部となる部分である。そして、押圧部２４の湾曲率（及び、当該湾曲率に応じて規定される弾性当接部の支持部２２からの離間距離）は、当該弾性当接部の基部１１からの突出寸法を規定する主要な要素であり、人体の皮膚の穿刺部への弾性的押圧力を考慮して（即ち、止血に必要な押圧力が止血対象者によって相違する点を考慮して）、予定する止血対象者に必要な押圧力が得られるような値に設定される。
【００４８】
被係止部２５は、前記接合部２３の幅方向中央付近における外面に、当該接合部２３から所定寸法だけ突出するよう一体成形される。被係止部２５の突出寸法は、前記基体１０の係止部１３の鉤状部分の（平板状部分からの）突出寸法と同等である。また、上記のように、被係止部２５の長さは、係止部１３の長さと同等となっている。したがって、押圧体２０の押圧部２４を基体１０の開口１５に進入させて使用状態としたときに、被係止部２５の下面の全体が、係止部１３の係止面１３ａのほぼ全体に当接して係止されるようになっている。
【００４９】
［装着方法］
本実施の形態の医療用止血具は、図３に示すように、基体１０に対して押圧体２０を傾動して重ね合せることができる。詳細には、医療用止血具は、図１の開放状態（基体１０に対して押圧体２０を完全に開放して並設状態まで展開した状態）から、押圧体２０を基体１０に向かって傾動していくと、押圧体２０は、連結部２１のヒンジ部２１ａに対して折曲部２１ｂが上方に折曲していくことで、ヒンジ部２１ａが樹脂ヒンジ機能を発揮し、折曲部２１ｂを介して、支持部２２、接合部２３、押圧部２４及び被係止部２４の上方への傾動を許容する。ここで、本発明者は、押圧部を傾動するためのヒンジ部を押圧体の異なる位置に設けると共に、各位置におけるヒンジ部のヒンジ動作及び押圧部の基部の開口内への進入動作について検証試験を行った。その結果、本実施の形態のように、ヒンジ部２１ａが、基部１１の長さ方向他端（押圧体２０との接合位置側の端）よりも外側の側方位置（基部１１と押圧体２０との接合位置よりも押圧体２０側となる側方位置）にあり、かつ、基部１１とほぼ平行な方向に延設されている場合、最も円滑なヒンジ動作を発揮する共に、押圧部２４が基部１１の開口１５内に最も円滑に進入するという知見を得て、本実施の形態の医療用止血具を完成した。また、このようにヒンジ部を設けた場合、基部１１の開口１５内に進入した押圧部２４の弾性押圧部が基部の下方で基部とほぼ平行なよう（正確には弾性押圧部は湾曲しているため、その接線が基部と略平行となるよう）配置され、（後述するように）止血対象者の穿刺部の皮膚に押圧部２４を押し当てたときに、押圧部２４の弾性押圧部が穿刺部を非常に効率よく圧迫することができる。一方、この検証試験によれば、ヒンジ部を基部側の位置、例えば、基部の長さ方向他端部と重なる位置に設けた場合（例えば、基部の長さ方向他端から直交する方向にヒンジ部を延設し、当該ヒンジ部から直線的に延びるよう支持部を穿設した場合）、ヒンジ部のヒンジ動作を利用した押圧体の傾動時に、押圧部が基部の開口の長さ方向一端側に衝突等して干渉する可能性があり、円滑な進入動作が保証できないことを確認している。したがって、本発明に係る医療用止血具では、基体に対して押圧体を傾動自在とするためのヒンジ部は、基体の基部の側方位置に設けることが好ましく、更には、基体の基部の側方位置に当該基部と略平行な方向に延びるよう設けることが好ましい。
【００５０】
そして、まず、押圧部２４等が、図３（ａ）に示す第１の傾動位置、即ち、支持部２２が基部１１に対して６０度（時計回り方向ではマイナス６０度）の角度位置に来たときに、押圧部２４の中央部が基部１１の上面付近の位置（開口１５の直近位置）に来る。また、この状態から、押圧体２０を基体１０に対して更に傾動すると、図３（ｂ）に示す第２の傾動位置、即ち、支持部２２が基部に対して４５度の角度位置に来たときに、押圧部２４の中央部が基部１１の開口１５内に若干進入し、押圧部２４の先端が係止部１３の上端よりも若干上方の位置に来る。更に、この状態から、押圧体２０を基体１０に対して更に傾動すると、図３（ｃ）に示す第３の傾動位置、即ち、支持部２２が基部に対して５度の角度位置に来たときに、押圧部２４の中央部及び当該中央部よりも先端側部分である弾性当接部の下端付近が、基部１１の開口１５内に完全に進入すると共に、接合部２３の外面が係止部１３の鉤部の先端に当接し、かつ、被係止部２５が係止部１３の上端よりも若干上方の位置に来る。そして、この状態から、押圧体２０を基体１０に対して更に傾動すると、図３（ｄ）に示す第４の傾動位置、即ち、支持部２２が基部に対して０度の角度位置に来たときに、押圧部２４が使用状態乃至押圧状態となり、押圧部２４の中央部及び当該中央部よりも先端側部分である弾性当接部の下端付近が、基部１１の開口１５内に完全に進入した状態を更に大きくすると共に、被係止部２５が係止部１３を弾性的に乗り越えて係止部１３の係止面１３ａによって掛止される。
【００５１】
即ち、このとき、押圧体２０が基体１０に完全に装着されて押圧部２４が（意図して強制的に離脱させようとする外力を加えない限り）離脱しない装着位置となる。これにより、押圧体２０が基体１０に完全に固定され、押圧部２４が基部１１の開口１５から上方へと離脱不能となる。更に、このとき、支持部２２が、基部１１と略平行な状態に配置される。即ち、前記連結部２１の折曲部２１ｂの幅寸法と接合部２３の幅寸法とが略同一に設定されているため、図３（ｄ）に示す基体１０への押圧体２０の完全な装着状態では、支持部２２が基部１１に対して略平行状態となり、医療用装着全体の厚みを非常に小さくして全体をコンパクトな構成とすることができる。
【００５２】
一方、必要に応じて、基部１１の開口１５から押圧部２４を離脱させたい場合は、係止部１３を外方（被係止部２４から離間する方向）へと押圧して弾性変形させることで、係止部１３の係止面１３ａから被係止部２５を離脱させ、それらの係止状態を解除して、（図３の（ｃ）から（ａ）に示す時計回り方向への傾動操作によって）押圧部２４を基部１１の開口１５から上方に傾動して離間させて、図１に示す開放状態に復帰させることもできる。
【００５３】
［製造方法］
実施の形態１の医療用止血具は、所定の合成樹脂材料（例えば、ポリプロピレン樹脂）を使用して射出成形法により一体成形することができる。詳細には、その外形状に相当するキャビティを有する金型を用意し、当該金型を使用して、射出成形により図１等に示す形状の医療用止血具を一体成形する。なお、型抜き時には、前記基体１０に設けた突部１２に所定の引き抜き具を引っ掛けて、成形後の成形品を（基部１１の幅方向に）引き抜く。このように一体成形した医療用止血具は、全体がフラットな構造となってコンパクトな構成となり、かつ、単一成形体（ワンピース構造体）として製造することができるため、製造コストを低減することができる。
【００５４】
［製品態様］
上記のように製造した医療用止血具は、そのまま単体で（即ち、図１の状態で）製品とすることもできるが、図４（ａ）を参照して後述するように、開口１５を含む基部１１の下面全体を覆うよう、パッドＰ付きの粘着テープＴを貼付して一体的に接合したり、或いは、図４（ｂ）を参照して後述するように、基部１１の下面にのみ粘着剤からなる粘着剤層Ｇを設けると共に、押圧部２４の弾性押圧部にパッドＰを貼付して一体的に接合して製品化してもよい。或いは、図１の状態の基部１１の下面に粘着剤層Ｇのみを設けて製品化することもできる。或いは、また、長尺テープ状のシート材に、複数の医療用止血具を、それぞれ、シート材の長さ方向に間隔を置いた状態で粘着や嵌合等により貼付または装着して仮固定しておき、使用時に、シート材から医療用止血具を１個ずつ離脱して、各医療用止血具を止血対象者の穿刺部の圧迫止血に利用することもできる。こうすると、医療従事者等の使用者が、医療用止血具を止血対象者の穿刺部に迅速に貼付して圧迫止血動作を行うことができ、作業性を向上することができる。なお、この場合、図４（ａ）または図４（ｂ）に示すように、医療用止血具の基部にパッドＰ付き粘着テープＴまたは粘着剤層Ｇを設けた状態で、シート材に医療用止血具を離脱自在に仮固定するようにし、使用時に、シート材から離脱した医療用止血具の基部１１の下面にパッドＰ付き粘着テープＴまたは粘着剤層Ｇが残存するようにしておく。
【００５５】
［使用方法］
本実施の形態の医療用止血具を使用して、止血対象者の穿刺部の穿刺孔の止血を行うには、まず、基体１０の基部１１の下面に、粘着シート等の粘着剤を付設し、基部１１を止血対象者の穿刺部の周囲の皮膚に貼付できるようにする。例えば、図４（ａ）に示すように、基部１１の下面の全体及び開口１５の全体を含む範囲を一体的に覆う形状及び寸法のシート状の粘着シートＴを、当該基部１１の下面に粘着や接着等により一体的に、かつ、容易に離脱しないように強固に接合する。この際、基部１１の下面と接合する粘着シートＴの上面は、当該基部１１の下面との接合箇所にのみ粘着剤や接着剤を塗布し、その他の部位には粘着剤や接着剤を塗布しないことが好ましい。一方、粘着シートＴの下面には、その全体に粘着剤を塗布し、更に、粘着シートＴの中央部には、綿布等からなるパッドＰを粘着剤の粘着力により貼付して一体的に接合しておく。そして、かかるパッドＰ付きの粘着シートＴを接合した基部１１を、止血対象者の皮膚の穿刺部の周囲に、前記粘着シートＴの下面の外周部（パッドＰよりも外側の部位）で露出する粘着剤により粘着して一体的に接合すると、基体１０が止血対象者の皮膚に対して、意図して離脱するような外力を加えない限りは離脱不能となって接合固定され、止血対象者の皮膚に対向する定位置状態乃至固定位置状態を維持する。
【００５６】
このようにして、止血対象者の皮膚に基部１１を固定する際、基部１１が穿刺部の穿刺孔を中心とする皮膚の一定部位を包囲すると共に、基部１１の開口１５の中心位置が穿刺孔の位置付近にくるように、基部１１を位置決めして固定することが望ましい。なお、この際、通常、看護師等の医療従事者が止血対象者への注射後に注射針を止血対象者の穿刺部から引き抜くときは、穿刺部に酒精綿を押し当てて引き抜くため、本実施の形態の医療用止血具は、かかる医療従事者が、この酒精綿を押し当てている穿刺部から当該酒精綿を取り外した後、素早く、医療用止血具の基部１１を穿刺部の周囲に貼付して固定する必要がある。即ち、本実施の形態の医療用止血具を適用する使用者は、基本的に、注射針を引き抜く医療従事者である。また、このとき、使用者は、基本的には、基部１１の開口１５を介し、可能であれば穿刺部の穿刺孔を視認したりして穿刺孔の位置を正確に把握した上で、基部１１を穿刺部に対して位置決めする。したがって、図４（ａ）に示すように、基部１１の開口１５全体を覆うようにして粘着シートＴを接合した場合、開口１５を介しての穿刺孔の視認が困難になるが、この場合でも、穿刺部に押し当てている酒精綿の位置に基部１１を重ね合せる等することで、できる限り穿刺孔の位置を正確に予測して、基部１１を位置決めすることができる。一方、図４（ａ）のように基部１１の開口１５全体を覆うようにしてパッドＰ付きの粘着シートＴを接合した医療用止血具を使用した場合、基部１１を穿刺部の周囲に貼付して固定した状態では、粘着シートＴの下面側のパッドＰが穿刺部に当接し、穿刺孔からの出血をある程度抑制することが期待できる。
【００５７】
その後、使用者は、基体１０に対して並設状態にある押圧体２０を傾動し、押圧部２４を基部１１の開口１５に対して進入させていく。すると、押圧部２４が図３（ａ）の第１の傾動位置から図３（ｂ）の第２の傾動位置にくるときに、押圧部２４の先端側の弾性押圧部が、基部１１の開口１５内に進入し始め、粘着シートＴ及びパッドＰを介して止血対象者の穿刺部を押圧開始する。このとき、押圧体２０においては支持部２２が上方となる位置にあり、使用者は、支持部２２の上面を押圧することで、押圧部２４を基部１１の開口１５内に更に押し込んで進入させることができる。また、この際、大きな平板状となる支持部２２が基部１１より上方位置に配置されているため、使用者は、支持部２２を容易に押圧することができ、押圧部２４を基部１１の開口１５の内部に円滑に押し込むことができ、医療用止血具の装着作業を円滑に行うことができる。そして、使用者の押し込み操作により、押圧部２４が図３（ｂ）の第２の傾動位置から図３（ｃ）の第３の傾動位置を経て図３（ｄ）の第４の傾動位置に来たときに、被係止部２５が係止部１３に掛止されて押圧部２４が最終的な押圧位置に固定され、粘着シートＴ及びパッドＰを介して止血対象者の穿刺部を予定した押圧力（押圧部２４の湾曲率等により設定した所定の押圧力）で押圧する。これにより、押圧部２４の弾性押圧部が、大面積の押圧面積で、かつ、大きな弾性押圧力によって、穿刺部の穿刺孔を中心とした周辺部位を確実に強く圧迫し、穿刺孔からの出血を完全に抑制することができる。なお、図４（ａ）のような医療用止血具の場合、押圧部２４は、基部１１の開口に進入する際に粘着シートＴを追従的に変形させながら進入することになるが、この場合も、粘着シートＴは押圧部２４からの押圧力によって容易に変形して押圧部２４の進入を許容するため、押圧部２４による圧迫動作が妨げられることはない。
【００５８】
一方、本実施の形態の医療用止血具は、図４（ｂ）に示すように、基部１１の下面にのみ粘着剤を塗布して粘着剤層Ｇを形成し（即ち、開口１５は完全な開口状態を維持し）、押圧部２４の弾性押圧部の押圧面にのみ綿布等のパッドＰを貼付して一体的に接合してもよい。この場合、基体１０に対して押圧体２０を並設した開放状態では、基部１１の開口１５を介して穿刺部の穿刺孔を視認することが可能であるため、使用者は、穿刺部に押し当てている酒精綿を取り外した直後に基部１１の開口１５の中心位置を穿刺孔の位置に整合させるように基部１１を位置決めして、基部１１を迅速に穿刺部の周囲に押し当てて当該穿刺部の周囲の皮膚Ｓの適正位置に粘着固定することができる。その後、使用者は、上記のように、押圧部２４を迅速に傾動して押圧位置として穿刺部に押し当てることで、穿刺部を圧迫し、止血を行うことができる。なお、この図４（ｂ）のように粘着層Ｇを設けた医療用止血具の場合、押圧部２４が基部１１の開口に進入する際に、その経路にいかなる粘着シートＴも存在しないため、図４（ａ）の場合に比較して、押圧部２４の基部１１の開口１５への進入及び穿刺部への圧迫動作は更に容易になる。
【００５９】
なお、図４（ａ）及び図４（ｂ）のいずれの場合も、基部１１が固定対象としての皮膚の穿刺部の周囲に確実に固定されているため（具体的には、そのように、基部１１の下面の粘着剤による粘着力が設定されているため）、押圧部２４が穿刺部を押圧する際の反力によって、基部１１が皮膚から離脱することはない。換言すれば、基部１１の皮膚への固定力は、主に、基部１１の粘着面積となる下面の面積と粘着剤自体の粘着力とにより決定されるが、この基部１１の下面の面積及び粘着剤の粘着力（即ち、粘着剤の種類）が、押圧部２４による穿刺部の押圧時の反力によって基部１１が皮膚から離脱しない値に設定されている。また、押圧部２４により穿刺部を押圧する最終的な使用状態（最終的な押圧状態）では、押圧部２４自体も、その弾性変形力によって、図３に示す（本来の大きな）湾曲率から図４（ｂ）に示すような（変形後の小さな）湾曲率へと弾性変形する。そして、このとき、図４（ｂ）に示すように、押圧部２４が、パッドＰを介して、皮膚Ｓの穿刺孔Ｈを中心とする穿刺部を圧迫するが、この状態で、押圧部２４の周囲の皮膚Ｓと基部１１の下面との間には押圧部２４の腕等の人体部位Ｂへの押圧力によって凹部Ｄが形成され、この凹部Ｄ内に押圧部２４が配置される状態となる。
【００６０】
或いは、単体の医療用止血具（図１に示す状態のもの）の基部１１の下面に粘着剤層Ｇを設けたものを使用してもよい。この場合、止血対象者の穿刺部に通常のガーゼ付き絆創膏もしくは不織布を貼付しておき、その上から、医療用止血具の基部１１を粘着剤層Ｇの粘着力により貼付して、上記のようにして、押圧部２４により穿刺部の圧迫止血を行う。なお、この場合、基部１１がガーゼ付き絆創膏もしくは不織布の外側の皮膚に直接的に粘着するよう、基部を穿刺部（及び穿刺部を覆うガーゼ付き絆創膏もしくは不織布）に対して位置決めして貼付することが好ましく、こうすると、基部１１が皮膚に直接粘着して、押圧部２４による穿刺部の圧迫に伴う皮膚からの浮き上がり（及びこれによる、押圧部２４による圧迫動作の悪影響）を効果的に防止することができる。なお、基部がガーゼ付き絆創膏もしくは不織布に粘着する場合でも、ガーゼ付き絆創膏もしくは不織布が皮膚に強固に粘着していれば、押圧部２４による穿刺部の圧迫に伴う皮膚からの浮き上がりを防止することができる。また、これらのいずれの場合も、ガーゼ付き絆創膏もしくは不織布は、そのガーゼもしくは不織布の中心位置が穿刺孔の位置にできるだけ整合するよう位置決めして皮膚に貼付することが望ましい。こうすると、医療用止血具の位置決め時に、基部１１の開口１５の中心を皮膚上のガーゼ付き絆創膏もしくは不織布のガーゼもしくは不織布の中心位置に整合させて基部１１を粘着することで、基部１１の開口１５の中心位置が穿刺孔の位置と整合する可能性を高めることができ、装着状態での押圧部２４の弾性押圧部が、確実に穿刺部の穿刺孔を中心とする範囲を圧迫することができる。
【００６１】
この後、一定時間の経過後に止血が完了したら、使用者或いは止血対象者自身が、粘着剤の粘着力に抗して基部１１を止血対象者の皮膚の穿刺部から引き剥がして離脱する。これにより、押圧部２４による穿刺部への圧迫が解除され、止血対象者の皮膚の穿刺部が通常の状態に復帰する。なお、医療用止血具は、皮膚から取り外した後、通常は衛生上の理由から廃棄するが、基体１０の係止部１３を外方（押圧部２４から離間させる方向）に強制的に押圧して被係止部２５との掛止状態を解除することで、再度、基体１０に対して押圧体２０を図１に示す開放状態とすることも可能である。
【００６２】
実施の形態２
実施の形態２に係る医療用止血具は、図５〜図９に示すように、固定部としての基体１１０及び可動部としての押圧体１２０を備えると共に、基体１１０と押圧体１２０とを別体構成として、押圧体１２０を基体１１０に挿着または着脱（装着及び離脱）自在とした２ピース構造である。基体１１０は、基部１１１及び突出部１１２を実施の形態１の医療用止血具と同様の材料により同様の成形技術を利用して所定形状に一体形成したものである。
【００６３】
［基体］
詳細には、基体１１０は、長方形環状のリング板状をなす基部１１１の内周縁（開口の周縁）に、厚さ方向一側（図５中の上方）へと突出する長方形筒状の突出部１１２を一体成形している。突出部１１２を構成する４つの側壁のうち、幅方向両側の側壁には、それぞれ、その長さ方向の両端付近に嵌合凹部１１３を形成し、合計４個の嵌合凹部１１３が、突出部１１２の幅方向両側でそれぞれ対をなすよう構成している。嵌合凹部１１３は、突出部１１２の側壁の上端から下端付近の位置まで（例えば、側壁の高さの約３／４程度の位置まで）高さ方向に沿ってほぼ垂直に延設されている。また、各嵌合凹部１１３は、上端から下端に向かって幅を若干漸減するテーパー状の開口状または切欠状をなしている。一方、突出部１１２の幅方向両側の側壁の上端は、各側壁につき２個ずつ設けた前記嵌合凹部１１３の間の部分が、下方に湾曲する押圧用凹部１１２ａとされている。
【００６４】
図１０に示すように、突出部１１２の長さ方向の両側壁の内側面には、それぞれ、係止部１１４が直交して突設されている。各係止部１１４は、上側係止部１１４ａ及び下側係止部１１４ｂからなり、上側係止部１１４ａ及び下側係止部１１４ｂは、それぞれ、上面を側壁から離間するにつれて下方へと傾斜する傾斜面とし、下面を突出部１１２と直交して水平方向に延びる水平面とした断面形状であり、側壁の幅方向両端付近まで直線的に延びる突条となっている。
【００６５】
［押圧体］
押圧体１２０は、長方形環状のリング板状をなす支持部１２１の長さ方向両側縁（図５中の左右の側縁）と直交して、それぞれ、厚さ方向一側（図５中の下方）へと延設される長方形平板状の挿着部１２２を一体成形している。支持部１２１は、その周縁部を除く範囲（或いは中央部分）に下方に湾曲する押圧用凹部１２１ａを設けた湾曲板状となっている。図６〜図７に示すように、挿着部１２２の上半部の左右両側縁には、それぞれ、一定幅で左右に張り出すよう帯板状の嵌合部１２３が一体形成されている。また、一対の挿着部１２２の下側縁部の外面には、それぞれ、鉤状の下側被係止部１２４が外方に突出して一体形成されている。下側被係止部１２４は、上面を挿着部１２２と直交して水平方向に延びる水平面とし、下面を挿着部１２２から離間するにつれて上方へと傾斜する傾斜面とした断面形状であり、装着部１２２の幅方向両側縁付近まで直線的に延びる突条となっている。更に、一対の挿着部１２２の上側縁部の外面には、それぞれ、鉤状の上側被係止部１２５が外方に突出して一体形成されている。上側被係止部１２５は、上面を挿着部１２２と直交して水平方向に延びる水平面とし、下面を挿着部１２２から離間するにつれて上方へと傾斜する傾斜面とした断面形状であり、装着部１２２の幅方向両側縁付近まで直線的に延びる突条となっている。一方側（図５中の右側）の挿着部１２２の内側面の高さ方向中央より若干下方の位置には、平板状の接合部１２６が、内方の下側に向かって傾斜して延びるよう一体成形されている。また、接合部１２６の先端には、湾曲板状（或いは、断面Ｃ字状の板状）の押圧部１２７が一体形成され、接合部１２６から折り返して前記一方側の挿着部１２２に向かって延びている。押圧部１２７の下面の中央部は、支持部１２１の中央部（及び、押圧用凹部１２１ａ）に対向する位置乃至範囲に配置されるよう、接合部１２６を介した押圧部１２７の挿着部１２２への挿着状態と、接合部１２６及び押圧部１２７の寸法関係とが、それぞれ設定されている。
【００６６】
なお、押圧体１２０の外形寸法は、基体１１０の突出部１１２の内形寸法と対応する（若干小さな）寸法に設定され、図１０から図１１に示すように、押圧体１２０の挿着部１２２を基体１１０の突出部１１２の内部に挿入して装着することができ、このとき、支持部１２１が突出部１１２の内部に収容されて最終的な装着状態になるようになっている。また、このとき、押圧体１２０の各挿着部１２２の左右側方に張り出し形成した一対の嵌合部１２３が、基体１１０の突出部１１２の対応する一対の嵌合凹部１１３に嵌合し、押圧体１２０の基体１１０への挿入動作を案内して、押圧体１２０を基体１１０に対して正確に所定位置へと位置決めするようになっている。更に、押圧体１２０の挿着部１２２を基体１１０に挿入するときに、押圧体１２０の下側被係止部１２４及び上側被係止部１２５は、それぞれ、基体１１０の上側係止部１１４ａ及び下側係止部１１４ｂを弾性的に乗り越えて、下側被係止部１２４または上側被係止部１２５の上面と上側係止部１１４ａまたは下側係止部１１４ｂの下面とが当接して掛止状態になるよう、それらの寸法関係及び位置関係が設定されている。
【００６７】
［装着方法及び使用方法］
本実施の形態の医療用止血具は、基体１１０を止血対象者の穿刺部の周囲に貼付して固定した状態で、図１０に示す開放状態から図１１に示す装着状態とすることで、押圧体１２０の押圧部１２７により穿刺部の穿刺孔を中心とした部位を圧迫して止血する。詳細には、まず、実施の形態１の場合と同様にして、基体１１０の基部１１１を、止血対象者の穿刺部の穿刺孔を包囲するよう位置決めし、粘着剤等により穿刺部の周囲の皮膚に粘着して固定する。次に、押圧体１２０の嵌合部を基体１１０の嵌合凹部１１３に挿入して案内すると共に、一対の挿着部１２２を突出部１１２の長さ方向両側壁の内側に挿入していく。すると、基体１１０の突出部１１２の嵌合凹部１１３に、まず、下側被係止部１２４が上側係止部１１４ａを乗り越えて掛止状態となり、第１の挿着位置となる。このとき、押圧部１２７は、止血対象者の穿刺部の皮膚に当接して非常に弱い第１の押圧力で押圧した状態、即ち、第１の押圧位置にあり、皮膚からの弾性反発力によって押圧部１２７が上方に若干押し上げられるため、下側被係止部１２４は、上側係止部１１４ａとの掛止状態を維持する。
【００６８】
次に、挿着部１２２を突出部１１２の内側に更に挿入していくと、押圧体１２０の下側係止部１２４は、基体１１０の上側係止部１１４ａとの掛止状態を解除し、下側係止部１１４ｂを乗り越えて掛止状態となり、第２の挿着位置となる。このとき、押圧部１２７は、止血対象者の穿刺部の皮膚を前記第１の押圧力よりも強い第２の押圧力で押圧した状態、即ち、第２の押圧位置となり、下側被係止部１２４は、下側係止部１１４ｂとの掛止状態を維持する。次に、挿着部１２２を突出部１１２の内側に更に挿入していくと、押圧体１２０の上側係止部１２５が、基体１１０の上側係止部１１４ａを乗り越えて掛止状態となり、第３の挿着位置となる。このとき、押圧部１２７は、止血対象者の穿刺部の皮膚を前記第２の押圧力よりも更に強い第３の押圧力で押圧した状態、即ち、第３の押圧位置となり、上側被係止部１２５は、上側係止部１１４ａとの掛止状態を維持する。次に、挿着部１２２を突出部１１２の内側に更に挿入していくと、押圧体１２０の上側係止部１２５が、上側係止部１１４ａとの掛止状態を解除し、下側係止部１１４ｂを乗り越えて掛止状態となり、第４の挿着位置となる。このとき、押圧部１２７は、止血対象者の穿刺部の皮膚を前記第３の押圧力よりも更に強い第４の押圧力で押圧した状態、即ち、第４の押圧位置となり、上側被係止部１２５は、下側係止部１１４ｂとの掛止状態を維持する。なお、上記基体１１０への押圧体１２０の押し込み操作においては、支持部１２１の押圧用凹部１２１ａを使用者の親指等の指腹により押圧することで、押し込み操作を容易に行うことができる。また、支持部１２１の押圧用凹部１２１ａの長さ方向の湾曲率と突出部１１２の押圧用凹部１１２ａの湾曲率とは、ほぼ同一の湾曲率となっており、押圧体１２０を基体１１０に押し込んで前記第３の押圧位置の直前の位置としたときに、支持部１２１の押圧用凹部１２１ａが突出部１１２の押圧用凹部１１２ａとほぼ重なるようになっている。したがって、かかる第３の押圧位置及びこれ以降の位置への押し込み操作において、支持部１２１を押圧する使用者の指を、基体１１０の押圧用凹部１１２ａに当接させることで、押圧体１２０の押し込み操作を円滑に行うことができる。
【００６９】
［特有の作用効果］
本実施の形態の医療用止血具は、２ピース構造としたことにより、実施の形態１の１ピース構造の医療用止血具と比較して製造コストは上昇する可能性があるが、押圧体１２０の押し込み操作に伴う押圧部１２７による圧迫止血動作をより円滑に行うことができるという特有の効果を発揮する。また、押圧部１２７の位置を第１の押圧位置から第４の押圧位置の間で複数段階的または多段階的に調節することができるため、止血対象者の止血能力が低い場合や、腎臓透析患者等、常に注射針による穿刺を行う止血対象者等の場合等、止血が通常の場合よりも困難である場合でも、押圧部１２７を第３または第４の押圧位置とすることで、穿刺孔部分をより強い圧迫力で確実に押圧継続することができ、確実な止血効果が期待できる。また、それほど強い圧迫力が必要ない場合は、押圧部１２７を第１または第２の押圧位置とすることで、過度に強い圧迫による不快感を軽減し、的確な圧迫力による止血を行うことができる。なお、実施の形態１の医療用止血具においても、前記係止部１３の長さ方向に複数の鉤状部を所定間隔をおいて設けたり、前記被係止部２５を接合部２３の幅方向に所定間隔をおいて複数設けたりすることで、押圧部２４による押圧力を複数段階または多段階で調節できるようにすることもできる。
【００７０】
実施の形態３
図１２〜図１３に示すように、実施の形態３に係る医療用止血具は、実施の形態２の場合と同様の２ピース構造であり、実施の形態２の医療用止血具とほぼ同様の構成を備える。したがって、本実施の形態の医療用止血具については、実施の形態２の医療用止血具と対応する参照符号を付して（即ち、下２桁の部材番号を同一とした符号付けを行って）説明し、重複した説明を省略する。したがって、本実施の形態では、実施の形態２の医療用止血具と異なる構成や作用効果についてのみ説明し、実施の形態２で明示的または黙示的に説明した構成及び作用効果については、重複した説明を省略する。まず、本実施の形態の医療用止血具は、図１２に示すように、実施の形態２の基体１１０及び押圧体１２０に相当する部材として、固定部としての基体２１０と、可動部としての押圧体２２０とを備える。
【００７１】
［基体］
基体２１０は、実施の形態２の基体１１０の基部１１１、突出部１１２、係止部１１４に対応する部材として、基部２１１、突出部２１２、係止部２１４を備えている。一方、本実施の形態では、基部２１１の下面には、粘着剤層２１３が予め設けられている。また、基部２１１は、図１３に示すように、円形環状のリング板状であり、突出部２１２も、これに対応して、円形リング状または非常に低い高さの円筒状である。更に、係止部２１４は、突出部２１２の内周面において、１８０度の角度間隔を置いた位置にそれぞれ対向配置される突条または突部である。
【００７２】
［押圧体］
押圧体２２０は、実施の形態２の押圧体１２０の支持部１２１、挿着部１２２、下側被係止部１２４、上側被係止部１２５、接合部１２６及び押圧部１２７に対応する部材として、支持部２２１、挿着部２２２、下側被係止部２２４ａ、上側被係止部２２４ｃ、接合部２２６及び押圧部２２７を備えている。一方、本実施の形態では、一対の挿着部２２２の各々において、下側被係止部２２４ａと上側被係止部２２４ｃとの間には同様の形状の中間被係止部２２４ｂが形成されている。また、支持部２２１は、基体２１０の突出部２１２の直径寸法より若干短い長さで延びる長方形板状であり、挿着部２２２を突出部２１２に挿入したときに、各挿着部２２２の外面の被係止部２２４ａ，２２４ｂ，２２４ｃが、突出部２１２の内周面の係止部２１４に掛止されるようになっている。更に、接合部２２６は、一方側の挿着部２２２の内側面の上端付近から下方に傾斜して突設され、押圧部２２７の先端は、一方側の挿着部２２２の下端内側面に対応する位置付近まで延設されている。また、支持部２２１の上面の長さ方向中央には、その幅方向全体に延びる突条からなる操作用突部２２１ａが形成されている。
【００７３】
［装着方法及び使用方法］
図１３に示すように、本実施の形態の医療用止血具は、実施の形態２の場合と同様にして、基体２１０を止血対象者の皮膚Ｓの穿刺部の周囲に貼付して固定する。このとき、基体２１０の貼付に先立ち、実施の形態１で述べたように、ガーゼ付き絆創膏もしくは不織布と同様の構成のパッドＰ付き粘着テープＴを止血対象者の皮膚Ｓの穿刺部に、当該穿刺部の穿刺孔ＨがパッドＰの中心位置にくるようにして貼付しておく。そして、突出部２１２の開口の中心位置に穿刺孔Ｈがくるよう、突出部２１２の開口の中心位置を粘着テープＴのパッドＰの中心位置に整合させ、基部２１１の下面にのみ設けた粘着剤層Ｇを介して、基体２１０を皮膚Ｓの所定位置に粘着して固定する。この状態で、基体２１０に押圧体２２０を挿着することにより、押圧部２２７が、穿刺部の穿刺孔Ｈを中心とした穿刺部を弾性的に圧迫して止血を行う。また、実施の形態２と同様、押圧体２２０の複数個の被係止部２２４ａ，２２４ｂ，２２４ｃのいずれかを基体２１０の係止部２１４に掛止させることで、押圧部２２７の押圧位置及び押圧力を段階的に調節することができ、複数段階または多段階の圧迫力を得ることができる。即ち、図１３（ｂ）に示すように、下側被係止部２２４ａを係止部２１４に掛止させた第１の押圧位置では、押圧部２２７により形成される穿刺部の窪みは第１の深さｄ１となり、図１３（ｃ）に示すように、中間被係止部２２４ｂを係止部２１４に掛止させた第２の押圧位置では、押圧部２２７により形成される穿刺部の窪みは第１の深さｄ１よりも大きい第２の深さｄ２となり、１３（ｄ）に示すように、上側被係止部２２４ｃを係止部２１４に掛止させた第３の押圧位置では、押圧部２２７により形成される穿刺部の窪みは第２の深さｄ２よりも更に大きい第３の深さｄ３となる。
【００７４】
実施の形態４
図１４〜図１６に示すように、実施の形態４に係る医療用止血具は、（実施の形態２と同様の構成の）実施の形態３の医療用止血具と同様の２ピース構造であり、実施の形態３の医療用止血具とほぼ同様の構成を備える。したがって、本実施の形態の医療用止血具については、実施の形態３の説明の場合と同様、実施の形態３（及びその前提となる実施の形態２）の医療用止血具と対応する参照符号を付して（即ち、下２桁の部材番号を同一とした符号付けを行って）説明し、重複した説明を省略する。まず、本実施の形態の医療用止血具は、図１４に示すように、実施の形態３の基体２１０及び押圧体２２０に相当する部材として、固定部としての基体３１０と、可動部としての押圧体３２０とを備える。
【００７５】
［基体］
基体３１０は、実施の形態３の基体２１０の基部２１１、突出部２１２、係止部２１４に対応する部材として、基部３１１、突出部３１２、係止部３１４を備えている。一方、本実施の形態では、基部３１１の下面には、粘着剤層３１３が予め設けられている。また、基部３１１は、図１４に示すように、外周の輪郭形状を角丸長方形とすると共に内周の輪郭形状を略ひょうたん形状とした異形リング板状であり、突出部３１２も、基部３１１の内周の輪郭形状に対応して、断面略ひょうたん形状のリング状または非常に低い高さの筒状となっている。更に、係止部３１４は、突出部３１２の長さ方向中央部の内周面であって内方に窪んだ部分の中央にそれぞれ対向配置される一対の突部である。
【００７６】
［押圧体］
押圧体３２０は、実施の形態３の押圧体２２０の支持部２２１、挿着部２２２、下側被係止部２２４ａ、中間被係止部２２４ｂ、上側被係止部２２４ｃ、及び押圧部２２７に対応する部材として、支持部３２１、挿着部３２２、下側被係止部３２４ａ、中間被係止部３２４ｂ、上側被係止部３２４ｃ、及び押圧部３２７を備えている。一方、本実施の形態では、支持部３２１は、基体３１０の突出部３１２の最も窪んだ部分の径寸法より若干小さい直径の円板状であり、また、挿着部３２２は、支持部３２１に対応する円筒状となっており、挿着部３２２を突出部３１２に挿入したときに、各挿着部３２２の外面の被係止部３２４ａ，３２４ｂ，３２４ｃが、突出部３１２の内周面の係止部３１４に掛止されるようになっている。更に、押圧部３２７は、挿着部３２２の内周面の高さ方向中央付近において９０度間隔をおいた位置にそれぞれ設けられ、合計４個の押圧部３２７が、それぞれ、支持部３２１及び挿着部３２２の中心に向かって帯板状となって延びると共に、その先端部を円盤状の弾性押圧部としている。即ち、本実施の形態では、押圧部３２７は、実施の形態３の接合部２２６及び押圧部２２７の機能を兼備した構成となっている。
【００７７】
［装着方法及び使用方法］
図１６に示すように、本実施の形態の医療用止血具は、実施の形態３の場合と同様にして、基体３１０を止血対象者の皮膚Ｓの穿刺部の周囲に貼付して固定した後、基体３１０に押圧体３２０を挿着することにより、押圧部２２７が、穿刺部の穿刺孔Ｈを中心とした穿刺部を弾性的に圧迫して止血を行う。
【００７８】
実施の形態５
図１７〜図１８に示すように、実施の形態５に係る医療用止血具は、（実施の形態２及び３と同様の構成の）実施の形態４の医療用止血具と同様の２ピース構造であり、実施の形態４の医療用止血具とほぼ同様の構成を備える。したがって、本実施の形態の医療用止血具については、実施の形態４の説明の場合と同様、実施の形態４（及びその前提となる実施の形態２及び３）の医療用止血具と対応する参照符号を付して（即ち、下２桁の部材番号を同一とした符号付けを行って）説明し、重複した説明を省略する。まず、本実施の形態の医療用止血具は、図１７に示すように、実施の形態４の基体３１０及び押圧体３２０に相当する部材として、固定部としての基体４１０と、可動部としての押圧体４２０とを備える。
【００７９】
［基体］
基体４１０は、実施の形態４の基体３１０の基部３１１及び突出部３１２に対応する部材として、基部４１１及び突出部４１２を備えている。また、基部４１１の下面には粘着剤層３１３と同様の粘着剤層を設ける。一方、本実施の形態では、基部４１１は、円形リング板状をなし、突出部４１２は、基部４１１に対応する円筒状をなす。また、突出部４１２の内周面には係止部は設けていない一方、突出部４１２の上端縁部の外周面に、係止突部４１４を設けている。
【００８０】
［押圧体］
押圧体４２０は、実施の形態４の押圧体４２０の支持部３２１及び押圧部３２７に対応する部材として、支持部４２１及び押圧部４２７を備えている。一方、本実施の形態では、支持部４２１は、基体４１０の基部４１１の外径寸法と略同一の外周直径を有する円形リング板状であり、挿着部３２２と同様の部分は設けられていない代わりに、支持部４２１の外周縁が下方に直交して張り出し形成され、支持部４２１が全体としてキャップ状となっており、支持部４２１を基体４１０の突出部４１２の上端に嵌合自在となっている。また、支持部４２１の外周縁は、ヒンジ部４２５を介して基体４１０の突出部４１２の上端部に連結される一方、支持部４２１の外周縁において前記ヒンジ部４２５と１８０度の角度を置いた位置には、突部からなる被係止部４２４が一体形成されている。そして、支持部４２１を突出部４１２に嵌合したときに、支持部４２１の外周面の被係止部４２４が、突出部４１２の外周面の係止突部４１４により掛止され、支持部４２１が突出部４１２に固定されるようになっている。なお、押圧部４２７は、支持部４２１の内周縁において９０度間隔をおいた位置にそれぞれ設けられ、合計４個の押圧部４２７が、それぞれ、支持部４２１の中心に向かって帯板状となって延びると共に、その先端部を円盤状の弾性押圧部としている。
【００８１】
［装着方法及び使用方法］
図１８に示すように、本実施の形態の医療用止血具は、実施の形態４の場合と同様にして、基体４１０を止血対象者の皮膚Ｓの穿刺部の周囲に貼付して固定した後、基体４１０に押圧体４２０を挿着することにより、押圧部４２７が、穿刺部の穿刺孔Ｈを中心とした穿刺部を弾性的に圧迫して止血を行う。このとき、図１８に示すように、基体４１０の基部４１１の下方の開口から肉厚のパッドＰを挿着し、このパッドＰを介して、押圧部４２７により穿刺部の圧迫を行うようにしてもよい。
【００８２】
実施の形態６
図１９に示すように、実施の形態６に係る医療用止血具は、（実施の形態２〜３と同様の構成の）実施の形態４の医療用止血具と同様の２ピース構造であり、実施の形態４の医療用止血具とほぼ同様の構成を備える。したがって、本実施の形態の医療用止血具については、実施の形態４の説明の場合と同様、実施の形態４（及びその前提となる実施の形態２〜３）の医療用止血具と対応する参照符号を付して（即ち、下２桁の部材番号を同一とした符号付けを行って）説明し、重複した説明を省略する。まず、本実施の形態の医療用止血具は、図１９に示すように、実施の形態４の基体３１０及び押圧体３２０に相当する部材として、固定部としての基体５１０と、可動部としての押圧体５２０とを備える。
【００８３】
［基体］
基体５１０は、実施の形態４の基体３１０の基部３１１及び突出部３１２に対応する部材として、基部５１１及び突出部５１２を備えている。また、基部５１１の下面には粘着剤層３１３と同様の粘着剤層５１３を設けている。一方、本実施の形態では、基部５１１は、円形リング板状をなし、突出部５１２は、基部５１１に対応する円筒状をなす。また、突出部５１２の内周面の上端部には係止部５１２ａが設けられている。
【００８４】
［押圧体］
押圧体５２０は、実施の形態４の押圧体３２０の支持部３２１、挿着部３２２、下側被係止部３２４ａ、中間被係止部３２４ｂ、上側被係止部３２４ｃ、及び押圧部３２７に対応する部材として、支持部５２１、挿着部５２２、下側被係止部５２４ａ、中間被係止部５２４ｂ、上側被係止部５２４ｃ、及び押圧部５２７を備えている。一方、本実施の形態では、支持部５２１は、基体５１０の突出部５１２の内径寸法より若干小さい直径の円板状であり、また、挿着部５２２は、支持部５２１に対応する円筒状となっており、挿着部５２２を突出部５１２に挿入したときに、各挿着部５２２の外面の被係止部５２４ａ，５２４ｂ，５２４ｃが、突出部５１２の内周面の係止部５１２ａに掛止されるようになっている。更に、押圧部５２７は円盤状をなし、コイルばね５２６を介して支持部５２１の下面に取り付けられている。
【００８５】
［装着方法及び使用方法］
図１９に示すように、本実施の形態の医療用止血具は、実施の形態３の場合と同様にして、基体５１０を止血対象者の皮膚Ｓの穿刺部の周囲に貼付して固定した後、基体５１０に押圧体５２０を挿着することにより、押圧部５２７が、コイルスプリング５２６の弾性押圧力によって穿刺部の穿刺孔Ｈを中心とした穿刺部を弾性的に圧迫して止血を行う。
【００８６】
実施の形態７
図２０〜図２１に示すように、実施の形態７に係る医療用止血具は、実施の形態１の場合と同様の１ピース構造であり、実施の形態１の医療用止血具とほぼ同様の構成を備える。したがって、本実施の形態の医療用止血具については、実施の形態１の医療用止血具と対応する参照符号を付して（即ち、下２桁の部材番号を同一とした符号付けを行って）説明し、重複した説明を省略する。したがって、本実施の形態では、実施の形態１の医療用止血具と異なる構成や作用効果についてのみ説明し、実施の形態１で明示的または黙示的に説明した構成及び作用効果については、重複した説明を省略する。まず、本実施の形態の医療用止血具は、図２０に示すように、実施の形態１の基体１０及び押圧体２０に相当する部材として、固定部としての基体６１０と、可動部としての押圧体６２０とを備える。
【００８７】
［基体］
基体６１０は、実施の形態１の基体１０の基部１１、係止部１３に対応する部材として、基部６１１、係止部６１４を備えている。一方、本実施の形態では、基部６１１は、長方形環状等のリング板状をなし、基部６１１の内周縁には、上方に直交して突出する突出部６１２が一体形成されている。そして、この突出部６１２の内周面の上端側の位置に、前記係止部６１４が一体形成されている。なお、係止部６１４は、突出部６１２の内周面から内方に突出する鉤状であり、実施の形態２等の係止部２１４等と同様、上面を傾斜面とし、下面を水平面としている。また、基部６１１の下面には、粘着剤層６１３が予め設けられている。
【００８８】
［押圧体］
押圧体６２０は、実施の形態１の押圧体２０の連結部２１、支持部２２、接合部２３、押圧部２４及び被係止部２５に対応する部材として、連結部６２１、支持部６２２、接合部６２３、押圧部６２４及び被係止部６２５を備えている。一方、本実施の形態では、連結部６２１は、樹脂ヒンジではなく、基体６１０の突出部６１２の下端に設けられる枢軸状または回動軸状のものであり、前記基体６１０の係止部６１４と１８０度の角度を置いた位置（直径方向に反対側の位置）に配置されている。また、図２０に実線で示す装着状態位置では、支持部６２２は、連結部６２１から突出部６１２の内部を前記係止部６１４に向かって当該係止部の直近位置まで延設され、接合部６２３は、支持部６２２から折り返して前記連結部６２１の下端に対応する下方位置の近傍まで下方に向かって傾斜して延びる平板状をなしている。更に、押圧部６２４は、接合部６２３から折り返して前記係止部６１４の下方位置の近傍まで延びる湾曲板状をなしている。また、前記被係止部６２５は、接合部６２３と押圧部６２４との連結部分の折曲部分の外周面に一体形成された鉤状をなしている。そして、押圧体６２０を、図２０中に二点鎖線（仮想線）で示す開放状態から、実線で示す装着状態となるよう基体６１０の突出部６１２の内部へと押し込むと、被係止部６２５が係止部６１４により掛止されるようになっている。
【００８９】
［装着方法及び使用方法］
図２１に示すように、本実施の形態の医療用止血具は、実施の形態１の場合とほぼ同様にして、基体６１０を止血対象者の皮膚Ｓの穿刺部の周囲に貼付して固定した後、基体６１０に押圧体６２０を挿着することにより、押圧部６２４が、穿刺部の穿刺孔Ｈを中心とした穿刺部を弾性的に圧迫して止血を行う。このとき、図示はしないが、図２１（ａ）に示す第１の押圧位置（深さｄ１）で押圧部６２４を固定するよう、基体６１０及び押圧体６２０にそれぞれ第２の係止部及び被係止部設け、また、図２１（ｂ）に示す第２の押圧位置（深さｄ２）で押圧部６２４を固定するよう、基体６１０及び押圧体６２０にそれぞれ第３の係止部及び被係止部設けてもよい。なお、図２１（ｃ）は、上記係止部６１４及び被係止部６２５により押圧部６２４を第３の押圧位置（深さｄ３）とした状態を示す。
【００９０】
なお、本発明の医療用止血具は、上記１ピース構造または２ピース構造以外にも、他のピース構造とすることができ、また、発明の範囲を逸脱しない限りにおいて、各部材または各部分の構成を変更することができる。
【００９１】
実施の形態８
以下、上記実施の形態１〜７を更に改良した本発明に係る医療用止血具として、実施の形態８に係る医療用止血具について説明する。上記実施の形態１〜７の医療用止血具について、本発明者らが更に鋭意の実験研究を重ねた結果、実施の形態１〜７の医療用止血具は、医療従事者が当該医療用止血具を使用して止血対象者の皮膚Ｓの穿刺部の穿刺孔の止血操作を行う場合、予想よりも手間がかかることが判明したため、注射針を抜いた後の医療用止血具による止血操作を単純操作（ワンタッチ操作）で簡単に完了することができる構造について更に鋭意の実験研究を重ねた結果、本実施の形態の医療用止血具の発明をなしえたものである。
【００９２】
図２２に示すように、実施の形態８に係る医療用止血具は、固定部としての基体７１０、第１押圧部（主押圧部）としての下側押圧体７２０、及び、第２押圧部（補助押圧部）としての上側押圧体７３０を備えると共に、基体７１０と下側押圧体７２０と上側押圧体７３０とを一体構成として、下側押圧体７２０及び上側押圧体７３０をそれぞれ基体７１０に対して（基体７１０を間に挟んだ状態で）接近させて重ね合せ自在とした１ピース構造としたものである。即ち、実施の形態８の医療用止血具は、図２２〜図２３に示すように、基体７１０、下側押圧体７２０及び上側押圧体７３０が全体として略Ｚ字状の断面又は側面形状を形成するよう、所定の弾性材料を所定の製造方法により一体成形したものである。なお、かかる一体構成の医療用止血具は、上記実施の形態と同様、製造コスト等の点から、基体７１０、下側押圧体７２０及び上側押圧体７３０を合成樹脂材料により射出成型技術によって一体成形することが好ましいが、その他の材料を使用したり、その他の成形方法を使用して形成したりして一体形成することも可能である。
【００９３】
［基体］
図２３に示すように、基体７１０は、矩形平板状の基部７１１と、基部７１１の長さ方向（図２３中の左右方向）の一端に一体形成される薄肉部７１２と、基部７１１の長さ方向の他端に一体形成される被掛止部７１３と、薄肉部７１２の上面から上方に突出する掛止部７１４とから構成される。詳細には、基部７１１は、所定の幅寸法（例えば、１８ｍｍ〜２２ｍｍの範囲内の所定寸法、好ましくは、１９ｍｍ又は２０ｍｍ又は２１ｍｍ程度の所定寸法）で所定の長さ寸法（例えば、２０ｍｍ〜２４ｍｍの範囲内の所定寸法、好ましくは、２１ｍｍ又は２２ｍｍ又は２３ｍｍ程度の所定寸法）の長方形平板状をなしている。また、薄肉部７１２は、基部７１１の所定厚み寸法（例えば、１．２ｍｍ程度の所定寸法）より若干小さな所定厚み寸法（例えば、１．０ｍｍ程度の所定寸法）を有し、基体７１０の長さ方向一端縁部を構成する薄肉平板状の部分であり、所定の突出寸法（例えば、２ｍｍ〜３ｍｍの範囲内の所定寸法）だけ基部７１１の長さ方向一端から突出している。薄肉部７１２の下面側には、当該薄肉部７１２と基部７１１との厚みの差により凹部７１２ａが形成されている。更に、被掛止部７１３は、基部７１１の所定厚み寸法より若干小さな所定厚み寸法（例えば、前記薄肉部７１２と同等の寸法であって、例えば、１．０ｍｍ程度の所定寸法）を有し、基体７１０の長さ方向他端縁部を構成する薄肉平板状の部分であり、所定の突出寸法（例えば、前記薄肉部７１２と同等の寸法であって、例えば、２ｍｍ〜３ｍｍの範囲内の所定寸法）だけ基部７１１の長さ方向他端から突出している。被掛止部７１３の下面側には、当該薄肉状の被掛止部７１３と基部７１１との厚みの差により凹部７１２ａが形成されている。なお、薄肉部７１２及び被掛止部７１３は、それぞれ、基部７１１の幅寸法と同一の幅寸法を有している。
【００９４】
基体７１０の基部７１１の長さ方向一端において前記薄肉部７１２の先端上面における幅方向の両端位置には、一対の前記掛止部７１４が一体形成されている。掛止部７１４は、薄肉部７１２の上面と直交して垂直に突出する鉤爪状の柱状部であり、第１の案内面７１４ａ、掛止面７１４ｂ及び第２の案内面７１４ｃを有している。掛止部７１４の第１の案内面７１４ａは、各掛止部７１４の内側面側（前記被掛止部７１３と対向する側面側）において、掛止部７１４の上端から（基体７１０の長さ方向に沿って）下方に傾斜して延びる傾斜面であり、第２の案内面７１４ｃは、一対の掛止部７１４の対向側面側において、掛止部７１４の上端から（基体７１０の幅方向に沿って）下方に傾斜して延びる傾斜面である。また、掛止部７１４の掛止面７１４ｂは、第１の案内面７１４ａの下端から薄肉部７１２と平行に延びる面であって、掛止部７１４には掛止面７１４ｂにより鉤爪状の掛止用凹部が形成されている。
【００９５】
［下側押圧体］
図２３に示すように、下側押圧体７２０は、矩形平板状の基部７２１と、基部７２１の長さ方向（図２３中の左右方向）の一端に一体形成される薄肉部７２２と、基部７２１の長さ方向の他端に一体形成される薄肉部７２３と、薄肉部７２３の上面から上方に突出する掛止部７２４とから構成される。詳細には、基部７２１は、所定幅寸法（前記基体７１０の基部７１１と同一の幅寸法）で所定長さ寸法（前記基体７１０の基部７１１と同一の長さ寸法）の長方形平板状をなしている。また、薄肉部７２２は、基部７２１の所定厚み寸法（前記基体７１０の基部７１１と同一の厚み寸法）より若干小さな所定厚み寸法（前記基体７１０の薄肉部７１２と同一の厚み寸法）を有し、下側押圧体７２０の長さ方向一端縁部を構成する薄肉平板状の部分であり、所定の突出寸法（基体７１０の薄肉部７１２と同一の突出寸法）だけ基部７２１の長さ方向一端から突出している。薄肉部７２２の上面側には、当該薄肉部７２２と基部７２１との厚みの差により凹部７２２ａが形成されている。更に、薄肉部７２３は、基部７２１の所定厚み寸法より若干小さな所定厚み寸法（前記薄肉部７２２と同一厚み寸法）を有し、下側押圧体７２０の長さ方向他端縁部を構成する薄肉平板状の部分であり、所定の突出寸法（前記薄肉部７２２と同一の突出寸法）だけ基部７２１の長さ方向他端から突出している。薄肉部７２３の上面側には、当該薄肉部７２３と基部７２１との厚みの差により凹部７２３ａが形成されている。なお、薄肉部７２２及び薄肉部７２３は、それぞれ、基部７２１の幅寸法と同一の幅寸法を有している。
【００９６】
下側押圧体７２０の基部７２１の長さ方向他端において前記薄肉部７２３の先端上面における幅方向の両端位置には、一対の前記掛止部７２４が一体形成されている。掛止部７２４は、薄肉部７２３の上面と直交して垂直に突出する鉤爪状の柱状部であり、第１の案内面７２４ａ、掛止面７２４ｂ及び第２の案内面７２４ｃを有している。下側押圧体７２０の係止部７２４は、基体７１０の掛止部７１４と同様の構成である。即ち、掛止部７２４の第１の案内面７２４ａは、各掛止部７２４の内側面側（前記薄肉部７２２と対向する側面側）において、掛止部７２４の上端から（下側押圧体７２０の長さ方向に沿って）下方に傾斜して延びる傾斜面であり、第２の案内面７２４ｃは、一対の掛止部７２４の対向側面側において、掛止部７２４の上端から（下側押圧体７２０の幅方向に沿って）下方に傾斜して延びる傾斜面である。また、掛止部７２４の掛止面７２４ｂは、第１の案内面７２４ａの下端から薄肉部７２３と平行に延びる面であって、掛止部７２４には掛止面７２４ｂにより鉤爪状の掛止用凹部が形成されている。
【００９７】
［上側押圧体］
図２３に示すように、上側押圧体７３０は、矩形平板状の基部７３１と、基部７３１の長さ方向（図２３中の左右方向）の一端に一体形成される被掛止部７３２と、基部７３１の長さ方向の他端に一体形成される薄肉部７３３と、被掛止部７３２の先端から屈曲して突出する解除部７３４と、薄肉部７３３の先端側で突出する解除部７２５とから構成される。詳細には、基部７３１は、所定幅寸法（前記基体７１０の基部７１１と同一の幅寸法）で所定長さ寸法（前記基体７１０の基部７１１と同一の長さ寸法）の長方形平板状をなしている。また、被掛止部７３２は、基部７２１の所定厚み寸法（前記基体７１０の基部７１１と同一の厚み寸法）より若干小さな所定厚み寸法（前記基体７１０の薄肉部７１２と同一の厚み寸法）を有し、上側押圧体７３０の長さ方向一端縁部を構成する薄肉平板状の部分であり、所定の突出寸法（基体７１０の薄肉部７１２と同一の突出寸法）だけ基部７３１の長さ方向一端から突出している。被掛止部７３２の下面側には、当該薄肉状の被掛止部７３２と基部７３１との厚みの差により凹部７３２ａが形成されている。更に、薄肉部７３３は、基部７３１の所定厚み寸法より若干小さな所定厚み寸法（前記被掛止部７３２と同一厚み寸法）を有し、上側押圧体７３０の長さ方向他端縁部を構成する薄肉平板状の部分であり、所定の突出寸法（前記被掛止部７３２と同一の突出寸法）だけ基部７３１の長さ方向他端から突出している。薄肉部７３３の下面側には、当該薄肉部７３３と基部７３１との厚みの差により凹部７３３ａが形成されている。なお、被掛止部７３２は、基部７３１の幅寸法と同一の幅寸法を有しているが、薄肉部７３３は、基部７３１の幅寸法よりも所定寸法だけ小さい所定の幅寸法を有している。
【００９８】
上側押圧体７３０の被掛止部７３２の先端には、前記解除部７３４が一体形成されている。解除部７３４は、被掛止部７３２と同一の厚み寸法を有する長方形薄板状又は帯板状をなし、被掛止部７３２の先端から所定角度（例えば、被掛止部７３２に対して下方に約３５度〜４５度の範囲内の所定角度、好ましくは、約４０度の角度）で下方に屈曲して延びている。また、解除部７３４は、所定の突出寸法（例えば、４ｍｍ〜５ｍｍの範囲内の寸法）を有すると共に、被掛止部７３２の幅寸法（即ち、基部７３１の幅寸法）よりも小さい所定の幅寸法（例えば、１６ｍｍ〜１８ｍｍの範囲内の所定寸法）を有している。即ち、解除部７３４の幅寸法は、前記基体７１０の一対の掛止部７１４の第２の案内面７１３ｃ間の間隙寸法に対応する寸法、詳細には、下方に傾斜する傾斜面である第２の案内面７１３ｃの上端と下端との間の上下中央部分の所定位置（例えば、上下中央位置）における間隙寸法と略同一の幅寸法に設定されている。
【００９９】
上側押圧体７３０の薄肉部７３３の先端と、前記基体７１０の薄肉部７１３の先端との間の部分には、前記解除部７３５が一体形成されている。解除部７３５は、薄肉部７３３及び薄肉部７１３の交差部分又は連結部分の先端から厚みを縮小して突出する所定の断面形状（塔形状又は底辺に比して高さが非常に大きい二等辺三角形状）を有する長方形薄板状又は帯板状をなしている。また、解除部７３５、薄肉部７３３及び薄肉部７１３の交差部分の先端に対して所定角度（例えば、図２３の医療用止血具の開放状態で、薄肉部７１３に対して下方に約１５度〜２５度の範囲内の所定角度（好ましくは約２０度）であって、薄肉部７３３に対して上方に約１５度〜２５度の範囲内の所定角度（好ましくは約２０度））となるよう延設されている。また、解除部７３５は、所定の突出寸法（例えば、４ｍｍ〜５ｍｍの範囲内の寸法）を有すると共に、基部７３１の幅寸法よりも小さい所定の幅寸法であって前記薄肉部７３３と同一の幅寸法（例えば、１６ｍｍ〜１８ｍｍの範囲内の所定寸法）を有している。即ち、解除部７３５の幅寸法は、前記下側押圧体７２０の一対の掛止部７２４の第２の案内面７２４ｃ間の間隙寸法に対応する寸法、詳細には、下方に傾斜する傾斜面である第２の案内面７２４ｃの上端と下端との間の上下中央部分の所定位置（例えば、上下中央位置）における間隙寸法と略同一の幅寸法に設定されている。
【０１００】
［ヒンジ部］
本実施の形態の医療用止血具は、基体７１０の薄肉部７１２と下側押圧体７２０の薄肉部７２２とが、それらの先端間で一体的に連結され、基体７１０及び下側押圧体７２０の交差部分及び連結部分となり、基体７１０に対して下側押圧体７２０を弾性的にヒンジ連結するヒンジ部を構成している。また、このとき、薄肉部７１２の凹部７１２ａと薄肉部７２２の凹部７２２ａとが、基体７１０及び下側押圧体７２０の連結部分のヒンジ効果を増大すると共に、基体７１０に対して下側押圧体７２０を折り畳んで圧縮状態としたときに、基体７１０及び下側押圧体７２０のそれぞれの連結部分の対向面が互いに干渉することを防止している。また、本実施の形態の医療用止血具は、前記基体７１０の被掛止部７１３と上側押圧体７３０の薄肉部７３３とが、それらの先端間で一体的に連結され、基体７１０及び上側押圧体７３０の交差部分及び連結部分となり、基体７１０に対して上側押圧体７３０を弾性的にヒンジ連結するヒンジ部を構成している。また、このとき、被掛止部７１３の凹部７１３ａと薄肉部７３３の凹部７３３ａとが、基体７１０及び上側押圧体７３０の連結部分のヒンジ効果を増大すると共に、基体７１０に対して下側押圧体７２０を折り畳んで圧縮状態としたときに、基体７１０及び上側押圧体７３０のそれぞれの連結部分の対向面が互いに干渉することを防止している。
【０１０１】
［ロック部］
本実施の形態の医療用止血具は、下側押圧体７２０の係止部７２４と基体７１０の被掛止部７１３とが、下側押圧体７２０を基体７１０に密接状態又は略密接状態で重ね合わせた圧縮状態を維持するよう、下側押圧体７２０を基体７１０にロック（又は掛止固定）する下側のロック部を構成している。また、基体７１０の掛止部７１４と上側押圧体７３０の被掛止部７３３とが、上側押圧体７３０を基体７１０に密接状態又は略密接状態で重ね合わせた圧縮状態を維持するよう、下側押圧体７２０を基体７１０にロック（又は掛止固定）する上側のロック部を構成している。詳細には、医療用止血具は、通常状態（成形後の状態であっていずれの部分にも何らの外力を加えていない状態）では、図２２、図２３、図２４の二点鎖線、図２６及び図２８に示す所定の展開状態、即ち、下側押圧体７２０及び上側押圧体７３０が、基体７１０に対して、それぞれ、所定角度（例えば、２０度〜４０度の範囲内の所定角度、好ましくは約３０度）の屈曲状態で離間した状態にある。この展開状態から、例えば、上側押圧体７３０の基部７３１の上面及び下側押圧体７２０の基部７２１の下面に、それぞれ、指（例えば、親指及び人差し指）の腹を押し当てて互いに接近する方向に力を加え、上側押圧体７３０及び下側押圧体７２０を基体７１０に対して接近させていくと、上側押圧体７３０の被掛止部７３２が基体７１０の掛止部７１４に掛止されてロックされると共に、基体７１０の被掛止部７１３が下側押圧体７２０の掛止部７２４に掛止されてロックされ、指を使用して医療用止血具を片手のみによりワンタッチで展開状態から（図２４の実線、図２５及び図２７に示す）圧縮状態へと固定することができる。
【０１０２】
このとき、上側押圧体７３０の被掛止部７３２の先端面が、基体７１０の一対の掛止部７１４の第１の案内面７１４ａの上を当接及び滑動して下方に移動案内されると共に、一対の掛止部７１４を後方（当接する被掛止部７３２から離間する方向であって、図２３（ａ）の左方向）に弾性変形させ、被掛止部７３２が掛止部７１４の第１の案内面７１４ａを完全に乗り越えたとき（即ち、第１の案内面７１４ａの下端を乗り越えたとき）に、掛止部７１４が弾性力により形状復帰して（図２３に示す原位置に復帰し）、被掛止部７３２の上面が掛止部７１４の掛止面７１４ｂに掛止されて、上側押圧体７３０が基体７１０に対して圧縮状態にロック及び固定される。同様に、基体７１０の被掛止部７１３の先端面が、下側押圧体７２０の一対の掛止部７２４の第１の案内面７２４ａの上を当接及び滑動して下方に移動案内されると共に、一対の掛止部７２４を後方（当接する被掛止部７１３から離間する方向であって、図２３（ａ）の右斜め下方向）に弾性変形させ、被掛止部７１３が掛止部７２４の第１の案内面７２４ａを完全に乗り越えたとき（即ち、第１の案内面７２４ａの下端を乗り越えたとき）に、掛止部７２４が弾性力により形状復帰して（図２３に示す原位置に復帰し）、被掛止部７１３の上面が掛止部７２４の掛止面７２４ｂに掛止されて、下側押圧体７２０が基体７１０に対して圧縮状態にロック及び固定される。
【０１０３】
また、このとき、上側押圧体７３０の解除部７３４の幅方向両端面が、基体７１０の一対の掛止部７１４の（互いに対向する）第２の案内面７１４ｃの上を略当接状態で移動又は滑動して下方に移動案内されて、最終的に（前記圧縮状態で）一対の掛止部７１４の第２の案内面７１４ｃの基端側に配置されることで、結果として、前記被掛止部７３２が一対の掛止部７１４に位置決め状態で移動案内されることを補助し、被掛止部７３２の掛止部７１４への掛止動作を円滑化する。同様に、上側押圧体７３０の解除部７３５の幅方向両端面が、下側押圧体７２０の一対の掛止部７２４の（互いに対向する）第２の案内面７２４ｃの上を略当接状態で移動又は滑動して下方に移動案内されて、最終的に（前記圧縮状態で）一対の掛止部７２４の第２の案内面７２４ｃの基端側に配置されることで、結果として、前記被掛止部７１３が一対の掛止部７２４に位置決め状態で移動案内されることを補助し、被掛止部７１３の掛止部７２４への掛止動作を円滑化する。即ち、医療用止血具を解放状態から圧縮状態に変形したときに、上記のとおり、解除部７３４の幅寸法が、解除部７３４の幅方向両端面又は両端縁が掛止部７１４の第２の案内面７１４ｃ上を移動案内されるような幅寸法、即ち、前記基体７１０の一対の掛止部７１４の第２の案内面７１４ｃ間の間隙寸法に対応する寸法に設定され、同様に、解除部７３５の幅寸法が、解除部７１３の幅方向両端面又は両端縁が掛止部７２４の第２の案内面７２４ｃ上を移動案内されるような幅寸法、即ち、前記下側押圧体７２０の一対の掛止部７２４の第２の案内面７２４ｃ間の間隙寸法に対応する寸法に設定されている。
同様に、
【０１０４】
［ロック解除部］
本実施の形態の医療用止血具は、上側押圧体７３０の解除部７３４が、下側押圧体７２０の基体７１０へのロック状態を解除する下側ロック解除部を構成すると共に、解除部７３５が、上側押圧体７３０の基体７１０へのロック状態を解除する上側ロック解除部を構成している。詳細には、前記圧縮状態において、上側押圧体７３０と基体７１０とがロック状態にあるときに、指の爪先等により掛止部７１４を後方に弾性変形させると共に、解除部７３４を指の爪先等により上方に押し上げることで、被掛止部７３２が掛止部７１４の掛止面７１４ａから離脱し、掛止部７１４による被掛止部７３２のロックが解除される。これにより、上側押圧体７３０が、その基端側のヒンジ部（被掛止部７１３及び薄肉部７３３）の回動付勢力（即ち、上側押圧体７３０を基体７１０に重なる圧縮状態から図２３に示す展開状態へと上方に回動させる弾性的付勢力）により、基体７１０に対して回動及び離間して前記展開状態となる。同様に、前記圧縮状態において、下側押圧体７２０と基体７１０とがロック状態にあるときに、指の爪先等により掛止部７２４を後方に弾性変形させると共に、解除部７３５を指の爪先等により上方に押し上げることで、被掛止部７１３が掛止部７２４の掛止面７２４ａから離脱し、掛止部７２４による被掛止部７１３のロックが解除される。これにより、下側押圧体７２０が、その基端側のヒンジ部（薄肉部７１２及び薄肉部７２２）の回動付勢力（即ち、下側押圧体７２０を基体７１０に重なる圧縮状態から図２３に示す展開状態へと下方に回動させる弾性的付勢力）により、基体７１０に対して回動及び離間して前記展開状態となる。
【０１０５】
［止血パッド］
前記下側押圧体７２０の基部７２１の下面には、綿布等からなるパッド７４１が粘着剤又は接着剤等により貼付して一体的に接合されている。パッド７４１は、基部７２１の下面より若干小さい寸法の矩形パッド状をなしている。
【０１０６】
［製造方法］
本実施の形態の医療用止血具は、好ましくは、ポリプロピレン樹脂等の所定の合成樹脂を射出成形して、図２２及び図２３に示す上記展開状態の形状に一体成形される。詳細には、実施の形態８の医療用止血具は、その外形状に相当するキャビティを有する金型を用意し、当該金型を使用して、射出成形により図２２〜図２５に示す形状の医療用止血具を一体成形する。ここで、医療用止血具の製造後及び使用前の状態（非圧縮状態）においては、医療用止血具は、基体７１０、下側押圧体７２０及び上側押圧体７３０が、それらの連結部分であるヒンジ部（薄肉部７１２及び薄肉部７２２並びに被掛止部７１３及び薄肉部７３３）のヒンジ効果により互いに離間して展開及び開放された開放状態にある。この展開状態では、基体７１０の薄肉部７１２及び下側押圧体７２０の薄肉部７２２によるヒンジ部、並びに、基体７１０の被掛止部７１３及び上側押圧体７３０の薄肉部７３３によるヒンジ部は、それぞれ、下側押圧体７２０及び上側押圧体７３０を基体７１０から離間する方向に回動する十分な形状復元力（上記の回動付勢力）を有しており、また、医療用止血具を展開状態から圧縮状態へと変形させて、下側押圧体７２０及び上側押圧体７３０を基体７１０に対してロックして完全に重ね合わせた後に、そのロックを解除したときにも、同様の十分な形状復元力（上記の回動付勢力）を有している。
【０１０７】
［使用方法及び作用効果］
本実施の形態の医療用止血具を使用して、止血対象者の穿刺部の穿刺孔の止血を行うには、医療用止血具を前記展開状態から圧縮状態へと変形してロックする。このとき、上記のように、展開状態にある医療用止血具を、上側押圧体７３０の基部７３１の上面及び下側押圧体７２０の基部７２１の下面に、それぞれ、指（例えば、親指及び人差し指）の腹を押し当てて互いに接近する方向に力を加え、上側押圧体７３０及び下側押圧体７２０を基体７１０に対して接近させることで、上側押圧体７３０の被掛止部７３２を基体７１０の掛止部７１４に掛止して簡単かつ確実にロックすると共に、基体７１０の被掛止部７１３を下側押圧体７２０の掛止部７２４に掛止して簡単かつ確実にロックすることができ、指を使用して医療用止血具を片手のみによりワンタッチで展開状態から圧縮状態へと迅速かつ容易に固定することができる。次に、このロック状態にある医療用止血具の下側押圧体７２０の基部７２１の下面に貼着したパッド７４１を、例えば、図３０（ａ）に示すように、法定の医療従事者（看護師等）が、注射器Ｉの注射針を止血対象者の皮膚の穿刺部に穿刺した状態で（通常の止血パッドや止血用の綿布を押し当てるようにして）止血対象者の皮膚の穿刺部の周囲に指Ｆで押し当てると共に、注射器Ｉの注射針を止血対象者の穿刺部から引き抜く。このとき、図３０（ｂ）に示すように、医療従事者は、指Ｆの腹により医療用止血具のパッド７４１を止血対象者の皮膚の穿刺部の周囲に押し当てておく。
【０１０８】
その後、図３０（ｃ）に示すように、医療用従事者は、粘着テープ等の医療用のパッドやガーゼ固定用の粘着テープを（好ましくは、テープカッター付きの所定のテープホルダーに粘着テープを取り付けて、片手で粘着テープを引き出して所望長さに切断できるようにした状態で）所望長さに切断した一対の粘着テープＴ，Ｔを、止血対象者の皮膚の穿刺部に押し当てている医療用止血具を中心として止血対象者の皮膚に十字貼りする。即ち、まず、医療用従事者は、止血対象者の皮膚の穿刺部に押し当てている医療用止血具の上面（上側圧体７３０の基部７３１の上面）に対して、所望長さに切断した１枚の粘着テープＴの長さ方向中心部位を（医療用止血具を押さえ付けている自己の指Ｆを外しながら）貼着し、そのまま粘着テープＴを水平方向（基体７１０の長さ方向）又は垂直方向（基体７１０の幅方向）のいずれかに沿って止血対象者の皮膚（医療用止血部の周辺の皮膚）に貼着する。この状態では、医療用止血具は、１枚の粘着テープＴにより止血対象者の皮膚の穿刺部の周囲に押し当てられ、固定されている。その後、医療用従事者は、先に１枚の粘着テープにより止血対象者の皮膚の穿刺部に固定されている医療用止血具の上面に対して、先に貼着した粘着テープＴの更に上から、所望長さに切断したもう１枚の粘着テープＴの長さ方向中心部位を貼着し、そのまま粘着テープＴを先の粘着テープＴと直交する方向（垂直方向又は水平方向）に沿って止血対象者の皮膚（医療用止血部の周辺の皮膚）に貼着する。これにより、医療用止血具の全体が止血対象者の皮膚の穿刺部の周囲に対して、意図して離脱するような外力（２枚の粘着テープＴの粘着力を超えるような大きな外力）を加えない限りは、離脱不能となって接合固定され、そのパッド７４１が止血対象者の皮膚の穿刺部の周囲に対向する定位置状態乃至固定位置状態を維持する。
【０１０９】
なお、このとき、粘着テープＴ，Ｔは、医療用止血具の上面（上側押圧体７３０の基部７３１の上面）の四隅から上方に突出する基体７１０の掛止部７１４及び下側押圧体７２０の掛止部７２４と干渉しないよう、当該掛止部７１４，７２４の間の空間を通して上側押圧体７３０の基部７３１の上面に貼着する。したがって、粘着テープＴ，Ｔとしては、医療用止血具の一対の掛止７１４間の間隙及び一対の掛止部７２４間の間隙よりも小さい幅のものを使用する。即ち、（本実施の形態の場合のように）医療用止血具について、前記幅寸法（一対の掛止７１４間の間隙及び一対の掛止部７２４間の間隙と平行な方向の寸法）が長さ寸法よりも小さく設定される場合、粘着テープＴ，Ｔの幅は、一対の掛止７１４間の間隙及び一対の掛止部７２４間の間隙よりも小さい寸法とすることが好ましい。一方、医療用止血具について、前記長さ寸法（対向する掛止７１４と掛止部７２４との間の間隙と平行な方向の寸法）が幅寸法よりも小さく設定される場合、粘着テープＴ，Ｔの幅は、対向する掛止７１４と掛止部７２４との間の間隙よりも小さい寸法とすることが好ましい。
【０１１０】
このようにして、止血対象者の皮膚に医療用止血具を粘着テープＴ，Ｔにより固定する際、パッド７４１が穿刺部の穿刺孔を中心とする皮膚の一定部位を包囲するよう、即ち、３枚重ね状態となっている基体７１０の基部７１１、下側押圧体７２０の基部７２１及び上側押圧体７３０の基部７３１の中心位置が穿刺孔の位置付近にくるよう、最も上側に位置する上側押圧体７３０の基部７３１を止血対象者の皮膚の穿刺部を中心として目算で位置決めして固定する。なお、この状態でも（即ち、医療用止血具を展開状態とする前の圧縮状態でも）、下側押圧体７２０の基部７２１の下面のほぼ全体を覆うようにして貼着したパッド７４１が、止血対象者の皮膚の穿刺部に直接当接し、穿刺孔からの出血をある程度抑制することが期待できる。
【０１１１】
その後、医療従事者は、医療用止血具を圧縮状態から展開状態に復帰させ、医療用止血具による止血対象者の穿刺部の本来的な止血動作へと移行する。詳細には、図３０（ｄ）に示すように、医療用従事者は、２枚の粘着テープＴ，Ｔにより止血対象者の皮膚の穿刺部の周囲に固定された（圧縮状態にある）医療用止血具において、互いにロック状態にある上側押圧体７３０と基体７１０とについて、指Ｆの爪先等により掛止部７１４を後方に弾性変形させると共に、解除部７３４を指Ｆの爪先等により上方に押し上げることで、被掛止部７３２を掛止部７１４の掛止面７１４ａから離脱させ、掛止部７１４による被掛止部７３２のロックを簡単かつ確実に解除することができる。これにより、上側押圧体７３０が、その基端側のヒンジ部（被掛止部７１３及び薄肉部７３３）の回動付勢力（即ち、上側押圧体７３０を基体７１０に重なる圧縮状態から図２３に示す展開状態へと上方に回動させる弾性的付勢力）により、基体７１０に対して回動及び離間して前記展開状態となる。同様に、医療用従事者は、前記固定状態及び圧縮状態にある医療用止血具において、互いにロック状態にある下側押圧体７２０と基体７１０とについて、指Ｆの爪先等により掛止部７２４を後方に弾性変形させると共に、解除部７３５を指の爪先等により上方に押し上げることで、被掛止部７１３を掛止部７２４の掛止面７２４ａから離脱させ、掛止部７２４による被掛止部７１３のロックを簡単かつ確実に解除することができる。これにより、下側押圧体７２０が、その基端側のヒンジ部（薄肉部７１２及び薄肉部７２２）の回動付勢力（即ち、下側押圧体７２０を基体７１０に重なる圧縮状態から図２３に示す展開状態へと下方に回動させる弾性的付勢力）により、基体７１０に対して回動及び離間して前記展開状態となる。
【０１１２】
これにより、２枚の粘着テープＴ，Ｔにより止血対象者の皮膚の穿刺部の周囲に固定されている（即ち、その前後左右方向に固定されるのみならず、厚さ方向においても皮膚から離間しないよう皮膚にパッド７４１を密接させた状態で固定されている）医療用止血具は、図３１（ａ）に示す圧縮状態から、図３１（ｂ）に示す展開状態となり、基体７１０に対する下側押圧体７２０の回動付勢力（基体７１０から下方に離間する方向への回動力である弾性的付勢力）と上側押圧体７３０の回動付勢力（基体７１０から上方に離間する方向への回動力である弾性的付勢力）とを合算した付勢力により、下側押圧体７２０の下面のパッド７４１を皮膚Ｓの穿刺部の穿刺孔Ｈを中心とした周辺部位を、予定した押圧力（前記合算した回動付勢力及びパッド７４１の押圧面積等により決定される所定の押圧力）で押圧する。即ち、医療用止血具では、基体７１０と上側押圧体７３０とのロック解除時に、上側押圧体７３０が、基部７３１の上面に貼着する一対の粘着テープＴ，Ｔにより、止血対象者の皮膚Ｓに対して上方への移動不能に固定されており、ロック解除された上側押圧体７３０は、粘着テープＴ，Ｔにより上方への回動を阻止されることとなり、前記ヒンジ部（薄肉部７１３及び被掛止部７３３）による回動付勢力は、基体７１０を上側押圧体７３０に対して相対的に下方に押圧及び移動する力として伝達され、結果として、ヒンジ部を介して上側押圧体７３０と連結された基体７１０を下方に所定の押圧力（即ち、前記回動付勢力）で押圧する。これに加え、医療用止血具では、基体７１０と下側押圧体７２０とのロック解除時に、基体７１０に対して下側押圧体の前記回動付勢力が伝達されるが、このとき、基体７１０は、上側押圧体７３０の基部７３１の上面に貼着する一対の粘着テープＴ，Ｔにより、止血対象者の皮膚Ｓに対して上方への移動不能に固定されており、ロック解除された下側押圧体７２０の回動付勢力は、基体７１０が粘着テープＴ，Ｔにより上方への移動を阻止されることとなり、前記ヒンジ部（薄肉部７１２及び薄肉部７２２）による回動付勢力は、下側押圧体７２０を基体７１０に対して下方に回動させる力として伝達され、結果として、ヒンジ部を介して基体７１０と連結された下側押圧体７２０を下方に所定の押圧力（即ち、前記回動付勢力）で押圧する。これにより、図３１（ｂ）に示すように、下側押圧体７２０の基部７２１上のパッド７４１が、大面積の押圧面積で、かつ、大きな弾性押圧力によって、皮膚Ｓの穿刺部の穿刺孔Ｈを中心とした周辺部位を確実に強く圧迫し、穿刺孔Ｈからの出血を完全に抑制することができる。
【０１１３】
このようにして、本実施の形態の医療用止血具は、基体７１０に対してロック状態にある下側押圧体７２０及び上側押圧体７３０を指先を利用して迅速かつ円滑にワンタッチでロック解除することができ、止血対象者の皮膚Ｓから注射針を抜いた後の止血動作を、非常に迅速かつ確実に行うことができる。この後、一定時間の経過後に止血が完了したら、医療用従事者或いは止血対象者自身が、粘着テープＴ，Ｔを医療用止血具から引き剥がし、医療用止血具を止血対象者の皮膚Ｓの穿刺部から離脱する。これにより、医療用止血具のパッド７４１による穿刺部への圧迫が解除され、止血対象者の皮膚の穿刺部が通常の状態に復帰する。
【０１１４】
ところで、上記実施の形態において、前記パッド７４１は、予め下側押圧体７２０の基部７２１の下面に貼着しておくことが、止血対象者の皮膚の穿刺部への医療用止血具の装着動作を簡易化し、かつ、装着時間を短縮する上で非常に有効であるが、場合によっては、パッド７４１を予め下側押圧体７２０の基部７２１の下面に貼着しておくことなく、使用時（展開状態から圧縮状態に医療用止血具を変形した直後、又は、変形する前等）に貼着したり、極端な場合は、パッド７４１又はその代わりとなる綿布等を下側押圧体７２０の基部７２１の下面に貼着することなく、止血対象者の皮膚の穿刺部の周囲に押し当てた後に、そのパッドの上に医療用止血具を押し当てて固定し、上記のように、粘着テープＴ，Ｔを使用して医療用止血具を止血対象者の皮膚の穿刺部の周囲に固定したりしてもよい。
【０１１５】
また、上記実施の形態では、２枚の粘着テープＴ，Ｔを使用して医療用止血具を止血対象者の皮膚に固定したが、１枚のみで十分な固定力が得られる場合（特に、上方への移動を阻止できる固定力が得られる場合）、１枚の粘着テープＴで医療用止血具を小手４位することもできる。或いは、必要に応じて、３枚以上の粘着テープＴを使用することもできる。
【０１１６】
更に、上記実施の形態の医療用止血具では、押圧体（下側押圧体７２０及び上側押圧体７３０）を基体７１０に対してロック及びロック解除操作できる限りにおいて、掛止部及び被掛止部の形状及び構造は、上記実施の形態の図示の例と異なるものとすることができる。例えば、掛止部及び被掛止部は、凹凸の関係で掛止動作を行い、かつ、掛止部又は被掛止部のいずれかを操作することにより凹凸関係の掛止状態を解除できる限りにおいて、任意の形状の凹部及び凸部の組み合わせにより実現することができる。この場合、上記の実施例のように、凹凸関係による掛止動作において、掛止部が凹部状となり被掛止部が凸部状となることもあり、これと逆に、掛止部が凸部状となり被掛止部が凹部状となることもある。
【０１１７】
更に、上記実施の形態において、基体７１０に対する下側押圧体７２０及び上側押圧体７３０のロック状態を解除操作するための解除部７３４，７３５についても、一方は、基体７１０と上側押圧体７３０との凹凸掛止関係によるロック状態の（当該凹凸掛止関係の全体を解除する）解除操作又は（当該凹凸掛止関係の一部を解除する）解除補助操作が可能な限りにおいて、上記解除部７３４以外の構成とすることができ、他方は、基体７１０と下側押圧体７２０とのロック状態の（当該凹凸掛止関係の全体を解除する）解除操作又は（当該凹凸掛止関係の一部を解除する）解除補助操作が可能な限りにおいて、上記解除部７３５以外の構成とすることができる。
【０１１８】
更にまた、下側押圧部は、パッドを介して止血対象者の穿刺孔の周囲の所定面積の全面に押圧力を均等に加える必要があるため、その外形が皮膚の穿刺部の穿刺孔の周囲の所定面積を全面的に覆う外形寸法を有し、かつ、その面積も皮膚の穿刺部の穿刺孔の周囲の所定面積を全面的に覆う面積を有する平板状に形成する必要がある。一方、基体及び上側押圧体は、直接的に止血対象者の穿刺部を押圧するものではなく、あくまで、下側押圧体の押圧動作のための付勢力を発生する部材であるため、その外形が皮膚の穿刺部の穿刺孔の周囲の所定面積を全面的に覆う外形寸法を有し、かつ、その面積も皮膚の穿刺部の穿刺孔の周囲の所定面積を全面的に覆う面積を有する平板状とする以外にも、その外形は皮膚の穿刺部の穿刺孔の周囲の所定面積を全面的に覆う外形寸法を有する一方で、その面積は皮膚の穿刺部の穿刺孔の周囲の所定面積のうちの外周側部分のみを覆うリング板状等とすることができる。
【０１１９】
実施の形態９
図３２に示すように、実施の形態９の医療用止血具は、実施の形態８の医療用止血具とほぼ同様の構成であるが、下側押圧体７２０の基部７２１を所定の湾曲率（若干の湾曲率であって、例えば、アール）で長さ方向にのみ湾曲する湾曲板状とした点が相違する。なお、下側押圧体は実施の形態８のように単純な平板状とすることがパッド貼着やパッドによる押圧力の均等分散の点でより好ましいが、実施の形態９のように湾曲状としても必要な硬化を得ることができる。
【０１２０】
実施の形態１０
図３３に示すように、実施の形態１０の医療用止血具は、基体７１０、下側押圧体７２０及び上側押圧体７３０のそれぞれの基部７１１，７２１，７３１を実施の形態８よりも幅広とし、一対の掛止部７１４，７２４間の間隙を実施の形態８の場合よりも大きく確保して、粘着テープＴの医療用止血具への貼付をより円滑に行えるようにしている。
【０１２１】
実施の形態１１
図３４に示すように、実施の形態１１の医療用止血具は、基体８１０、押圧体８２０を備え、湾曲板状の基体８１０の基部８１１及び平板状の押圧体８２０の基部８２１の両端を、側面視で略く字状をなす屈曲ばね板状の連結部８２４及び連結部８２５により一体的に連結すると共に、基体８１０の基部８１１の下面中央位置と押圧体８２０の基部８２１の上面中央位置とにおける対向位置（整合した位置）に、それぞれ、掛止部８１２及び被掛止部８２２を下方及び上方に突出するよう一体形成し、掛止部８１２の係止面８１３と被掛止部８２２の被掛止面８２３とを、互いに凹凸の関係で掛止することにより、基体８１０及び押圧体８２０を圧縮状態とし、また、掛止部８１２及び被掛止部８２２に横方向（掛止面８１３及び被掛止面８２３を互いにずらす方向）の外力を加えることでそれらを弾性変形してそれらの掛止を解除するようにしている。
【０１２２】
実施の形態１２
図３５に示すように、実施の形態１２の医療用止血具は、基体９１０、押圧体９２０を備え、平板状の基体９１０の基部９１１の一端と湾曲板状の押圧体９２０の基部９２１の他端とを、平板状の連結部９３０により一体的に連結して、それら全体が側面視で略Ｚ字状となるようにし、基体９１０の基部９１１の一端と押圧体９２０の基部８２１の一端とにおける対向位置（整合した位置）に、それぞれ、掛止部９１２及び被掛止部９２２を互いに対向する方向に突出するよう一体形成し、かつ、基体９１０の基部９１１の他端と押圧体９２０の基部９２１の他端とにおける対向位置（整合した位置）に、それぞれ、掛止部９１３及び被掛止部９２３を互いに対向する方向に突出するよう一体形成し、掛止部９１２を被掛止部９２２に対して被掛止部９２２の案内面９２２ａを介して移動案内して凹凸の関係で掛止すると共に、掛止部９１３を被掛止部９２３に対して被掛止部９２３の案内面９２３ａを介して移動案内して凹凸の関係で掛止することにより、基体９１０及び押圧体９２０を圧縮状態とし、また、被掛止部９２２及び被掛止部９２３に横方向（掛止部９１２及び掛止部９１３から外方にずらす方向）の外力を加えることでそれらを弾性変形してそれらの掛止を解除するようにしている。
【０１２３】
実施の形態１３
図３６に示すように、実施の形態１３の医療用止血具は、基体１０１０、押圧体１０２０を備え、湾曲板状の基体１０１０の基部１０１１の一端と湾曲板状の押圧体１０２０の基部１０２１の他端とを、平板状の連結部１０５１と屈曲状のヒンジ部１０５２及びヒンジ部１０５３とにより一体的に連結して、それら全体が側面視で略Ｚ字状となるようにし、基体１０１０の基部１０１１の一端と押圧体１０２０の基部１０２１の一端とにおける対向位置（整合した位置）に、それぞれ、掛止部１０１２及び被掛止部１０３５を互いに対応する状態で突出するよう一体形成し、かつ、基体１０１０の基部１０１１の他端と押圧体１０２０の基部１０２１の他端とにおける対向位置（整合した位置）に、それぞれ、掛止部１０１３及び被掛止部１０４５を互いに対応する状態で突出するよう一体形成し、連結基端部１０３１、ヒンジ部１０３２及び連結先端部１０３３を利用して被掛止部１０３５を掛止部１０１２に接近移動して、掛止部１０１２を被掛止部１０３５の凹部１０３５ａに凹凸の関係で掛止すると共に、連結基端部１０４１、ヒンジ部１０４２及び連結先端部１０４３を利用して被掛止部１０４５を掛止部１０１２に接近移動して、掛止部１０１３を被掛止部１０４５の凹部１０４５ａに凹凸の関係で掛止することにより、基体１０１０及び押圧体１０２０を圧縮状態とし、また、解除部１０３６及び解除部１０４６を介して、被掛止部１０３５及び被掛止部１０３６に横方向（掛止部１０１２及び掛止部１０１３から外方にずらす方向）の外力を加えることでそれらを弾性変形してそれらの掛止を解除するようにしている。
【０１２４】
実施の形態８
以下、上記実施の形態８を更に改良した本発明に係る医療用止血具として、実施の形態１４に係る医療用止血具について説明する。上記実施の形態８の医療用止血具について、本発明者らが更に鋭意の実験研究を重ねた結果、実施の形態８の医療用止血具は、ロック部としての掛止部７１４及び掛止部７２４が（特に、医療用止血具の圧縮状態において）四隅から上方に突出するため、外観意匠の点で改善する余地があると共に、全体の構成を更にコンパクト化する点でも改善する余地があり、更に、医療用止血具を止血対象者の穿刺部に粘着テープＴで固定して展開状態に形状復元して止血動作を開始した後に、誤った医療用止血具の上面を押圧することで医療止血具が再度圧縮状態に復帰して本来の止血動作を停止する可能性がある点に着眼し、これらの着眼点から、より使い勝手がよく、かつ、低コストとすることができ、更に、止血対象者等の不用意な動作等によっても本来の止血動作が妨げられることのない構造について更に鋭意の実験研究を重ねた結果、本実施の形態の医療用止血具の発明をなしえたものである。
【０１２５】
図３７に示すように、実施の形態１４に係る医療用止血具は、固定部としての基体１１１０、第１押圧部（主押圧部）としての下側押圧体１１２０、及び、第２押圧部（補助押圧部）としての上側押圧体１１３０を備えると共に、基体１１１０と下側押圧体１１２０と上側押圧体１１３０とを一体構成として、下側押圧体１１２０及び上側押圧体１１３０をそれぞれ基体１１１０に対して（基体１１１０を間に挟んだ状態で）接近させて重ね合せ自在とした１ピース構造としたものである。即ち、実施の形態１４の医療用止血具は、図３７及び図３８に示すように、基体１１１０、下側押圧体１１２０及び上側押圧体１１３０が全体として略Ｚ字状の断面又は側面形状を形成するよう、所定の弾性材料を所定の製造方法により一体成形したものである。なお、かかる一体構成の医療用止血具は、上記実施の形態と同様、製造コスト等の点から、基体１１１０、下側押圧体１１２０及び上側押圧体１１３０を合成樹脂材料により射出成型技術によって一体成形することが好ましいが、その他の材料を使用したり、その他の成形方法を使用して形成したりして一体形成することも可能である。
【０１２６】
［基体］
図３８に示すように、基体１１１０は、矩形平板状の基部１１１１から構成される。詳細には、基部１１１１は、所定の幅寸法（例えば、１８ｍｍ〜２２ｍｍの範囲内の所定寸法、好ましくは、１９ｍｍ又は２０ｍｍ又は２１ｍｍ程度の所定寸法）で所定の長さ寸法（例えば、２０ｍｍ〜２４ｍｍの範囲内の所定寸法、好ましくは、２１ｍｍ又は２２ｍｍ又は２３ｍｍ程度の所定寸法）の長方形平板状をなしている。また、基部１１１１は、所定厚み寸法（例えば、１．２ｍｍ程度の所定寸法）の均一厚みを有する薄板平板状である。
【０１２７】
［下側押圧体］
図３８に示すように、下側押圧体１１２０は、矩形平板状の基部１１２１と、基部１１２１の長さ方向（図３８中の左右方向）の中央位置から一端側に所定距離だけ離間した位置に一体形成されて基部１１２１の上面から上方に突出する掛止部１１２２とから構成される。詳細には、基部１１２１は、所定幅寸法（前記基体１１１０の基部１１１１より若干大きな幅寸法）で所定長さ寸法の長方形平板状をなしている。ここで、基部１１２１の長さ寸法は、前記基体１１１０の基部１１１１より若干短い長さ寸法に設定され、例えば、基部１１２１と基部１１１１との長さ寸法の比は、（底角が３５度の）直角三角形を想定した場合に、基部１１２１をその底辺とし基部１１１１を斜辺とした場合における、底辺と斜辺との長さの比と同様の寸法比となる（例えば、基部１１１１を約２３ｍｍとした場合、基部１１２１は約２２ｍｍｍとなる）。また、図３７及び図３８に示すように、掛止部１１２２は、下側押圧体１１２０の基部１１２１の幅方向両端縁において、その長さ方向の中央位置から一端側に所定距離だけ離間した位置に、それぞれ一体形成されている。掛止部１１２２は、基部１１２１の上面と直交して垂直に突出する鉤爪状の柱状部又は板状部であり、案内面１１２２ａ及び掛止面１１２２ｂを有している。掛止部１１２２の案内面１１２２ａは、各掛止部１１２２の内側面側（一対の掛止部１１２２が互いに対抗する面側）において、掛止部１１２２の上端から（下側押圧体１１２０の幅方向に沿って）下方に傾斜して延びる傾斜面である。また、掛止部１１２２の掛止面１１２２ｂは、案内面１１２２ａの下端から基部１１２１と平行に延びる面であって、掛止部１１２２には掛止面１１２２ｂにより鉤爪状の掛止用凹部が形成されている。
【０１２８】
［上側押圧体］
図３８に示すように、上側押圧体１１３０は、矩形平板状の基部１１３１を備えている。詳細には、基部１１３１は、所定幅寸法（前記基体１１１０の基部１１１１より若干大きな幅寸法で、かつ、下側押圧体１１２０の基部１１２１より若干小さな幅寸法）で所定長さ寸法の長方形平板状をなしている。上側押圧体１１３０の基部１１３１は、長さ方向（図３８の基部１１３１の延設方向）の中央部を最も肉厚の大きい厚肉部１１３２とし、厚肉部１１３２から長さ方向の両端に向かうにつれて徐々に薄肉となるテーパー板状となっている。なお、厚肉部１１３２の両端縁部（基部１１３１の幅方向両端縁部に位置する部分）は、前記下側押圧体１１２０の掛止部１１２２により掛止される被掛止部として機能する。ここで、基部１１３１の長さ寸法は、基部１１１１の長さ寸法に対して、前記基体１１１０の基部１１１１より（及び、下側押圧体１１２０の長さ寸法より）若干長い長さ寸法に設定され、例えば、図３８に示すように、医療用止血具の全体の展開状態で、水平状態の下側押圧体１１２０の長さ方向両端位置に（傾斜状態の）基体１１１０の長さ方向両端位置が来る一方で（即ち、傾斜状態の基体１１１０はその傾斜角度に応じた分だけ下側押圧体１１２０より長い長さ寸法を有することになり）、水平状態（即ち、下側押圧体１１２０と平行状態）にある上側押圧体１１３０の長さ方向両端は、それぞれ、下側押圧体１１２０の長さ方向両端よりも所定長さだけ外方に突出した位置に来る。例えば、上側押圧体１１３０は、前記厚肉部１１３２の長さを４ｍｍとし、厚肉部の長さの両端から下側押圧体１１２０の両端位置に対向する位置までの長さをそれぞれ９ｍｍとし、下側押圧体１１２０の両端位置に対向する位置から長さ方向両端までの長さをそれぞれ７ｍｍｍとして、全体で、３６ｍｍの長さに設定することができる。この場合、上側押圧体１１３０の長さ寸法（３６ｍｍ）は、下側押圧体１１２０の長さ寸法（２２ｍｍ）に対して約１．６倍の寸法比となり、止血動作時の止血対象者の穿刺部の押圧力を徐々に発現する点において非常に効果的な寸法比となる。なお、前記下側押圧体１１２０の掛止部１１２２の高さ寸法は、例えば、６ｍｍとすることができる。
【０１２９】
［ヒンジ部］
本実施の形態の医療用止血具は、基体１１１０の基部１１１１の一端（図３８（ａ）中の左下端）と下側押圧体１１２０の基部１１２１の基端（図３８（ａ）中の左端）とが、ヒンジ部１１１２により一体的に連結されている。ヒンジ部１１１２は、基体１１１０及び下側押圧体１１２０の交差部分及び連結部分となり、基体１１１０に対して下側押圧体１１２０を弾性的にヒンジ連結するものであり、実施の形態８の第１のヒンジ部に対応するものである。また、本実施の形態の医療用止血具は、基体１１１０の基部１１１１の他端（図３８（ａ）中の右上端）と上側押圧体１１３０の基部１１３１の基端（図３８（ａ）中の右端）よりも所定距離だけ内側の位置とが、ヒンジ部１１１３により一体的に連結されている。ヒンジ部１１１３は、基体１１１０及び上側押圧体１１３０の交差部分及び連結部分となり、基体１１１０に対して上側押圧体１１３０を弾性的にヒンジ連結するものであり、実施の形態８の第２のヒンジ部に対応するものである。なお、基部１１１１の他端の基部１１３１への連結位置（基部１１３１の基端よりも所定距離だけ内側の位置）は、医療用止血具の展開状態で、上側押圧体１１３０と互いに平行状態にある下側押圧体の先端位置（図３８（ａ）の右端位置）と対向する位置である。
【０１３０】
［ロック部］
本実施の形態の医療用止血具は、下側押圧体１１２０の係止部１２２２と上側押圧体１１３０の被掛止部としての厚肉部１１３２とが、基体１１１０を間に挟んで下側押圧体１１２０及び上側押圧体１１３０を基体１１１０に密接状態又は略密接状態で重ね合わせた圧縮状態を維持するよう、下側押圧体１１２０及び上側押圧体１１３０を基体１１１０にロック（又は掛止固定）するロック部を構成している。詳細には、医療用止血具は、通常状態（成形後の状態であっていずれの部分にも何らの外力を加えていない状態）では、図３７〜図３９に示す所定の展開状態、即ち、下側押圧体１１２０及び上側押圧体１１３０が、基体１１１０に対して、それぞれ、所定角度（例えば、２０度〜４０度の範囲内の所定角度、好ましくは約３０度）の屈曲状態で離間した状態にある。この展開状態から、例えば、上側押圧体１１３０の基部１１３１の上面及び下側押圧体１１２０の基部１１２１の下面に、それぞれ、指（例えば、親指及び人差し指）の腹を押し当てて互いに接近する方向に力を加え、上側押圧体１１３０及び下側押圧体１１２０を基体１１１０に対して接近させていくと、上側押圧体１１３０の被掛止部としての厚肉部１１３２が、下側押圧体１１２０の掛止部１１２２に掛止されてロックされ、指を使用して医療用止血具を片手のみによりワンタッチで展開状態から圧縮状態へと固定することができる。
【０１３１】
このとき、図３９に示すように、一対の掛止部１１２２は、実施の形態８の（基部７１１及び基部７２１に対して垂立する）掛止部７１４，７２４と異なり、それぞれ、（基部１１２１の長さ方向から見ると垂立状態にあるが）基部１１２１の幅方向においては外方に傾斜して突出している。即ち、一対の掛止部１１２２の外側面上端間の距離又は間隙寸法は、下側押圧体１１２０の基部１１２１の幅方向両端間（及び、下側押圧体１１２０と平行状態にある上側押圧体１１３０の基部１１３１の幅方向両端間）の幅寸法よりも大きな寸法となり、また、案内面１１２２ａと掛止面１１２２ｂとの交差位置である掛止面１１２２ｂの先端位置は、圧縮状態で下側押圧体１１２０と重なり合う（下側押圧体１１２０と平行状態にある）上側押圧体１１３０の基部１１３１の幅方向両端よりも若干距離だけ内側の位置にあり、上側押圧体１１３０を下側押圧体１１２０に重ね合わせたときに、上側押圧体１１３０の基部１１３１の幅方向両端縁は、図３９中の一点鎖線で示す仮想線上を通り、掛止部１１２２の案内面１１２２ａの下端端側の若干部分のみと接触するようになっている。或いは、一対の掛止部１１２２の外側面上端間の距離又は間隙寸法をさらに増大して、掛止面１１２２ｂの先端位置が、圧縮状態で下側押圧体１１２０と重なり合う（下側押圧体１１２０と平行状態にある）上側押圧体１１３０の基部１１３１の幅方向両端よりも外側の位置にくるようにし、上側押圧体１１３０を下側押圧体１１２０に重ね合わせたときに、上側押圧体１１３０の基部１１３１の幅方向両端縁が、図３９中の一点鎖線で示す仮想線よりも外側の位置を通り、掛止部１１２２の案内面１１２２ａに一切接触しないように構成することもできる。
【０１３２】
ここで、実施の形態８の医療用止血具は、基体７１０の長さ方向一端縁の両端に一対の掛止部７１４を設け、下側押圧体７２０の長さ方向他端縁の両端に一対の掛止部７２４を設けて、合計４本の掛止部７１４，７２４を設けることで、基体７１０に対する下側押圧体７２０及び上側押圧体７３０のロックをワンタッチで片手により行うことできるようにしているが、実施の形態１４の医療用止血具は、この掛止部の本数を（実施の形態の４本から）２本（一対のみ）へと削減し、一対（２本）の掛止部１１２２のみによって、基体１１１０に対する下側押圧体１１２０及び上側押圧体１１３０のロックをワンタッチで片手により行うことができるようにしている。詳細には、前記下側押圧体１１２０の掛止部１１２２は、展開状態では、被掛止側となる上側押圧体１１３０の基部１１３１の長さ方向中央位置ではなく、下側押圧体１１２０の先端側に所定距離だけ離れた位置に配置されているが、この掛止部１１２２の位置は、基体１１１０に対して下側押圧体１１２０及び上側押圧体１１３０を圧縮状態として重ね合わせ、下側押圧体１１２０に対して最接近状態にきたときに（即ち、厚肉部１１３２の上面が掛止部１１２２の掛止面１１２２ｂの先端を下方に超えた位置に来たときに）上側押圧体１１３０の長さ方向中央位置の厚肉部１１３２が配置される（下側押圧体１１２０の長さ方向）位置である。
【０１３３】
［誤動作防止構造］
この構成は、止血対象者等の不用意な動作等によって（圧縮状態にある）医療用止血具の本来の止血動作が妨げられることのないようにする誤動作防止構造である。即ち、止血対象者は、医療関係者等からの情報により、常識的な知識として、注射後の穿刺部を綿布等により押圧して圧迫することが習慣づけられており、本実施の形態の医療用止血具により止血を行う場合においても、圧縮状態の医療用止血具を止血対象者の穿刺部に粘着テープで固定して展開状態に形状復元して止血動作を開始した後に、止血対象者自身が、誤って医療用止血具の上面を押圧することが考えられ、この場合、実施の形態８のように医療止血具が押圧により自動的に圧縮状態になる構成であると、医療用止血具が展開状態から再度圧縮状態に復帰して、本来の止血動作を停止する可能性がある。したがって、このような状況を回避すべく、圧縮状態の医療用止血具を止血対象者の穿刺部に粘着テープで固定して展開状態に形状復元して止血動作を開始した後に、止血対象者自身が、誤って医療用止血具の上面を押圧した場合でも、上側押圧体１１３０の厚肉部１１３２が下側押圧体１１２０の掛止部１１２２に自動的には掛止されない構造として、上記構造を採用している。
【０１３４】
［使用方法及び作用効果］
詳細には、本実施の形態の医療用止血具を使用して、止血対象者の穿刺部の穿刺孔の止血を行うには、医療用止血具を前記展開状態から圧縮状態へと変形してロックする。このとき、上記のように、展開状態にある医療用止血具を、上側押圧体１１３０の基部１１３１の上面及び下側押圧体１１２０の基部１１２１の下面に、それぞれ、指（例えば、親指及び人差し指）の腹を押し当てて互いに接近する方向に力を加え、上側押圧体１１３０及び下側押圧体１１２０を基体１１１０を間に挟んで互いに接近させることで、上側押圧体１１３０の被掛止部としての厚肉部１１３２を下側押圧体１１２０の掛止部１１２２に掛止してロックする。このとき、本実施の形態では、一対の掛止部１１２２が、医療用止血具の幅方向において互いに外側に開いて傾斜した状態にあるため、上側押圧体１１３０及び下側押圧体１１２０を互いに接近させるだけでは、厚肉部１１３２が掛止部１１２２の掛止面１１２２ｂを超えた位置に来たときでも、厚肉部１１３２が掛止部１１２２に十分な掛止力で掛止されることはなく、ヒンジ部の回動付勢力により下側押圧体１１２０及び上側押圧体１１３０が基体１１１０に対して形状復元しようとして、掛止部１１２２による厚肉部１１３２の掛止を解除する。したがって、本実施の形態では、上側押圧体１１３０及び下側押圧体１１２０を互いに接近させて、厚肉部１１３２が掛止部１１２２の掛止面１１２２ｂを超えた位置に来たときに、一対の掛止部１１２２を互いに接近する方向に（指等により）押圧し、下側押圧体１１２０の基部１１２１に対して（その幅方向においても）垂立状態となるように掛止部１１２２を塑性変形する。即ち、掛止部１１２２は、塑性変形自在な材料からなり、弾性変形により外力を解除すると自動的に形状復帰するものではない。したがって、厚肉部１１３２が掛止部１１２２の掛止面１１２２ｂを超えた位置に来たときに、一対の掛止部１１２２を互いに接近する方向に押圧して垂立状態となるように掛止部１１２２を塑性変形することで、掛止部１１２２の掛止面１１２２ｂが、厚肉部１１３２の上面を確実に掛止し、ロック動作を完了する。なお、本実施の形態でも、下側押圧体１１２０の基部１１２１の下面に（実施の形態８と同様の）パッドを貼着しておくことが好ましい。
【０１３５】
その後、実施の形態８と同様にして、止血対象者の穿刺部に医療用止血具を粘着テープで固定し、圧縮状態の医療用止血具をロック解除して展開状態に形状復元し、本来的な止血動作を行う。このときのロック解除は、一対の掛止部１１２２を外側に押圧して塑性変形し、図３９に示す傾斜突出状態に（塑性変形により）形状復元する。これにより、医療用止血具が、ロック解除されて圧縮状態から展開状態に形状復元し、本来的な止血動作を行う。即ち、本実施の形態では、ロック部としての掛止部１１２２は、塑性変形自在な構成としたことで、ロック解除部としても機能する。なお、この後、止血対象者自身が、誤って医療用止血具の上面を押圧した場合でも、一対の掛止部１１２２が外側に開いた状態にあるため、上側押圧体１１３０の厚肉部１１３２が下側押圧体１１２０の掛止部１１２２に自動的に掛止されることはなく、止血動作を妨げることはない。
【０１３６】
ところで、基体１１１０、下側押圧体１１２０及び上側押圧体１１３０の幅寸法は、上記と異なる寸法比とすることができる（すべて同一とすることもできる）。また、上側押圧体１１３０の長さ寸法は、下側押圧体１１２０の長さ寸法より相当程度大きくすることが、上記のように上記の圧迫力漸増動作のために効果的であるが、下側押圧体１１２０の長さ寸法と同一としたり、若干のみ大きくしたり（極端な場合は、小さくしたり）することもできる。また、上記各実施例で示した具体的な寸法地は、あくまで、好適な事例を示すものであり、本発明の医療用止血具は、上記の寸法値に限定されるものではない。
【符号の説明】
【０１３７】
Ｂ：人体部位、Ｄ：凹部、Ｇ：粘着剤層（粘着層）、Ｈ：穿刺孔、Ｐ：パッド、Ｓ：皮膚
Ｔ：粘着テープ（粘着シート）
１０：基体、１１：基部、１１ａ：傾斜面、１２：突部
１３：掛止部、１３ａ：係止面、１５：開口、
２０：押圧体、２１：連結部、２１ａ：ヒンジ部、２１ｂ：折曲部、２２：支持部
２３：接合部、２４：押圧部、２５：被掛止部
１１０：基体、１１１：基部、１１２：突出部、１１２ａ：押圧用凹部
１１３：嵌合凹部、１１４：掛止部、１１４ａ：上側掛止部、１１４ｂ：下側掛止部
１２０：押圧体、１２１：支持部、１２１ａ：押圧用凹部、１２２：挿着部
１２３：嵌合部、１２４：下側被掛止部、１２５：上側被掛止部
１２６：接合部、１２７：押圧部
２１０：基体、２１１：基部、２１２：突出部、２１３：粘着剤層、２１４：掛止部
２２０：押圧体、２２１：支持部、２２１ａ：操作用突部、２２２：挿着部
２２４ａ：下側被掛止部、２２４ｂ：中間被掛止部、２２４ｃ：上側被掛止部
２２６：接合部、２２７：押圧部
３１０：基体、３１１：基部、３１２：突出部、３１３：粘着剤層、３１４：掛止部
３２０：押圧体、３２１：支持部、３２２：挿着部
３２４ａ：下側被掛止部、３２４ｂ：中間被掛止部、３２４ｃ：上側被掛止部
３２６：接合部、３２７：押圧部
４１０：基体、４１１：基部、４１２：突出部、４１４：係止突部
４２０：押圧体、４２１：支持部、４２４：被掛止部、４２５：ヒンジ部
４２７：押圧部
５１０：基体、５１１：基部、５１２：突出部、５１２ａ：掛止部、５１３：粘着剤層
５２０：押圧体、５２１：支持部、５２２：挿着部
５２４ａ：下側被掛止部、５２４ｂ：中間被掛止部、５２４ｃ：上側被掛止部
５２６：コイルスプリング、５２７：押圧部
６１０：基体、６１１：基部、６１２：突出部、６１３：粘着剤層、６１４：掛止部
６２０：押圧体、６２１：連結部、６２２：支持部、６２３：接合部
６２４：押圧部、６２５：被掛止部
７１０：基体、７１１：基部、７１２：薄肉部（ヒンジ部）
７１３：被掛止部（ヒンジ部）、７１４：掛止部、
７２０：下側押圧体、７２１：基部、７２２：薄肉部（ヒンジ部）
７２３：薄肉部、７２４：掛止部
７３０：上側押圧体、７３１：基部、７３２：被掛止部
７３３：薄肉部（ヒンジ部）、７３４：解除部、７３５：解除部
７４１：パッド